(57)【要約】【課題】遊技者が不利と感じる要因を排斥し、ひいては遊技の興趣を高めること。【解決手段】パチンコ機１０は、外枠１１と、該外枠１１の前部に設けられ外枠の一側部にて開閉可能に支持された本体枠１２と、該本体枠１２の前部に設けられ本体枠１２の一側部にて開閉可能に支持された前扉枠１３とを備えている。パチンコ機１０の下部に設けられた遊技球発射ハンドル１８が操作されると、上皿２３にある遊技球が遊技領域に向け発射される。かかるパチンコ機１０において、所定の球通過部を遊技球が通過することで、導入補助装置により遊技球導入装置への遊技球の導入が可能又は容易となり、遊技球導入装置に導入された遊技球が更に演出始動口を通過することを条件に所定の遊技演出が行われる。また、遊技演出が行われている最中に前記球通過部を遊技球が通過した際その遊技球が検出され、その時の遊技演出時間が短縮される。【選択図】      図１
2005065782.tif 000002
【特許請求の範囲】
【請求項１】
演出始動口を有する遊技球導入装置と、
所定の球通過部を遊技球が通過することで前記遊技球導入装置への遊技球の導入を可能又は容易とする導入補助装置と、
前記遊技球導入装置に導入された遊技球が更に前記演出始動口を通過することを一条件に所定の遊技演出を行う遊技演出手段と、を備えた遊技機において、
前記遊技演出手段により遊技演出が行われている最中に前記球通過部を遊技球が通過した際その遊技球通過を検出し、その時の遊技演出の時間を短縮する演出時間短縮化手段を備えたことを特徴とする遊技機。
【発明の詳細な説明】
【技術分野】
【０００１】
本発明は、遊技機に関するものである。
【背景技術】
【０００２】
従来より、特定作動口への遊技球の入球に伴い図柄表示装置で図柄を変動表示し、その図柄が所定の当たり図柄で停止した場合等に、当たり状態等の遊技者に有利な特別遊技状態になる遊技機が知られている。また、所定の前段階を経ることを条件に、前記特定作動口への入球を許容するようにした遊技機もある。その具体例として、所定の権利発生領域（特別装置作動領域）を遊技球が通過することで権利発生状態となる、一般に“権利物”と称されるパチンコ機では、所定の作動口を遊技球が通過することに伴い電動入賞装置が所定時間（例えば１秒程度）開放状態となり、その電動入賞装置に遊技球が入賞し更に特定作動口としての特別入賞作動口を通過することで、当該遊技球が特別入賞装置に導かれて一旦保持される。また、遊技球が特別入賞作動口を通過することを条件に内部抽選が行われるとともに図柄表示装置における図柄の変動表示が開始され、図柄表示装置で変動表示された後の停止図柄が所定の当たり図柄となることで、遊技球が権利発生領域に導かれて権利発生状態（特別装置作動状態）となる。その権利発生状態中には、遊技球が始動入賞口に入賞することにより一定時間（例えば１０秒）が経過するまで又は所定個数（例えば１０個）の遊技球が入賞するまで変動入賞装置が開放される。変動入賞装置への遊技球の入賞に伴い所定の賞球払出が行われる。そして、再度権利発生領域を遊技球が通過したこと、又は始動入賞口に所定個数（例えば１６個）の遊技球が入賞したことによって権利発生状態が終了するようになっている（例えば特許文献１参照）。
【０００３】
上記パチンコ機では、新たに遊技球が作動口を通過すること、それに伴い開放状態となった電動入賞装置に別の遊技球が入ることなどの前段階を経て初めて特別入賞作動口への遊技球通過が可能となるが、こうして前段階を経た場合であっても、現に図柄表示装置での図柄の表示演出が行われている状態では、折角の特別入賞作動口への遊技球通過が無効とされる。つまり、本来は特別入賞作動口の遊技球通過があれば、それを契機として内部抽選や図柄の表示演出が開始されるが、その時既に図柄の表示演出が行われていれば新たな表示演出等は開始されない。従って、図柄の表示演出中に遊技球が特別入賞作動口を通過してもそれが無駄となり、遊技者は大いに不利益を受けたような印象を受ける。これは、特別入賞作動口に到達した到達遊技球の価値低下を招くとも言える。
【特許文献１】特開２００３−３８７８０号公報
【発明の開示】
【発明が解決しようとする課題】
【０００４】
本発明は、遊技者が不利と感じる要因を排斥し、ひいては遊技の興趣を高めることができる遊技機を提供することを目的とするものである。
【課題を解決するための手段】
【０００５】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００６】
手段１．演出始動口（特別入賞作動口４３）を有する遊技球導入装置（遊技球導入ユニット４８）と、
所定の球通過部（契機作動口３２）を遊技球が通過することで前記遊技球導入装置への遊技球の導入を可能又は容易とする導入補助装置（電動入賞装置３３）と、
前記遊技球導入装置に導入された遊技球が更に前記演出始動口を通過することを一条件に所定の遊技演出を行う遊技演出手段（図柄表示装置４１、表示制御装置２１４）と、を備えた遊技機において、
前記遊技演出手段により遊技演出が行われている最中に前記球通過部を遊技球が通過した際その遊技球通過を検出し、その時の遊技演出の時間を短縮する演出時間短縮化手段（主制御装置２７１）を備えたことを特徴とする遊技機。
【０００７】
手段１によれば、所定の球通過部を遊技球が通過することで、導入補助装置により遊技球導入装置への遊技球の導入が可能又は容易となり、遊技球導入装置に導入された遊技球が更に演出始動口を通過することを一条件に所定の遊技演出が行われる。また特に、遊技演出が行われている最中に前記球通過部を遊技球が通過した際その遊技球通過が検出され、その時の遊技演出の時間が短縮されるようになっている。
【０００８】
要するに、球通過部を遊技球が通過すること、導入補助装置が動作して遊技球が遊技球導入装置に導入されることの前段階を経ることで遊技球が演出始動口を通過することが可能となり、本来はそれを契機として所定の遊技演出が開始されるが、その時既に遊技演出が行われていると遊技演出が開始できない場合が生じる。かかる場合、前段階を経て折角遊技球が演出始動口を通過してもそれが無駄となり、遊技者は大いに不利益を受けたような印象を受ける。これに対して本手段１では、前記球通過部を遊技球が通過した際には遊技演出の時間が短縮されるため、現に実施されている遊技演出を早急に終了させて次の遊技演出を開始することが可能となる。その結果、演出始動口の遊技球通過を無駄にすることなく、所望とする遊技演出を有効に行わせることができる。よって、遊技者が不利と感じる要因を排斥し、ひいては遊技の興趣を高めることが可能となる。
【０００９】
なお、遊技演出手段による所定の遊技演出とは、例えば、図柄を変動表示する図柄表示装置を備えた遊技機にあっては図柄の表示演出を意味し、遊技演出の時間とは図柄変動時間を意味する（以下同様）。
【００１０】
手段２．演出始動口（特別入賞作動口４３）を有する遊技球導入装置（遊技球導入ユニット４８）と、
所定の球通過部（契機作動口３２）を遊技球が通過することで前記遊技球導入装置への遊技球の導入を可能又は容易とする導入補助装置（電動入賞装置３３）と、
前記遊技球導入装置に導入された遊技球が更に前記演出始動口を通過することを一条件に所定の遊技演出を行う遊技演出手段（図柄表示装置４１、表示制御装置２１４）と、
通常遊技状態とは異なる所定遊技状態において前記球通過部を遊技球が通過すると前記導入補助装置を通常状態よりも一層遊技球導入装置に遊技球を導入しやすい状態とする状態変更手段（主制御装置２７１）と、を備えた遊技機において、
前記所定遊技状態で前記遊技演出手段により遊技演出が行われている最中に球通過部を遊技球が通過した際その遊技球通過を検出し、その時の遊技演出の時間を短縮する演出時間短縮化手段（主制御装置２７１）を備えたことを特徴とする遊技機。
【００１１】
手段２によれば、所定の球通過部を遊技球が通過することで、導入補助装置により遊技球導入装置への遊技球の導入が可能又は容易となり、遊技球導入装置に導入された遊技球が更に演出始動口を通過することを一条件に所定の遊技演出が行われる。また、通常遊技状態とは異なる所定遊技状態下では前記球通過部を遊技球が通過すると、前記導入補助装置が、通常状態よりも一層遊技球導入装置に遊技球を導入しやすい状態とされる。これにより、所定遊技状態においては遊技球が遊技球導入装置に導入される可能性が高められ、前記遊技演出（例えば、所定の利益発生状態に関連した遊技演出）の実施回数が増える。それ故、遊技者は、所定の利益発生状態が付与されることの期待感を高めることができる。また特に、所定遊技状態で遊技演出が行われている最中に前記球通過部を遊技球が通過した際その遊技球通過が検出され、その時の遊技演出の時間が短縮されるようになっている。
【００１２】
要するに、球通過部を遊技球が通過すること、導入補助装置が動作して遊技球が遊技球導入装置に導入されることの前段階を経ることで遊技球が演出始動口を通過すことが可能となり、所定遊技状態下では演出始動口への遊技球通過の期待がより一層高められる。そして、本来はそれを契機として所定の遊技演出が開始されるが、その時既に遊技演出が行われていると遊技演出が開始できない場合が生じる。かかる場合、前段階を経て折角遊技球が演出始動口を通過してもそれが無駄となり、遊技者は大いに不利益を受けたような印象を受ける。これに対して本手段２では、前記球通過部を遊技球が通過した際には遊技演出の時間が短縮されるため、現に実施されている遊技演出を早急に終了させて次の遊技演出を開始することが可能となる。その結果、演出始動口の遊技球通過を無駄にすることなく、所望とする遊技演出を有効に行わせることができる。よって、遊技者が不利と感じる要因を排斥し、ひいては遊技の興趣を高めることが可能となる。
【００１３】
「所定遊技状態」とは、遊技者にとって有利なチャンス期間中の状態などであり、例えば、所定の権利状態が発生した後に終了し、その権利終了直後の所定期間（チャンス期間）において次回の権利発生を獲得するための確率を高めたようにした遊技状態である（以下同様）。
【００１４】
手段３．手段２において、前記所定遊技状態下で、前記球通過部を遊技球が通過する回数をカウントするとともに、そのカウント数が所定値になるまでの間、前記球通過部を遊技球が通過すると前記導入補助装置を通常状態よりも一層遊技球導入装置に遊技球を導入しやすい状態とすることを特徴とする遊技機。
【００１５】
所定遊技状態において導入補助装置が遊技球を導入容易とする動作回数が球通過部の遊技球通過数で規定されている場合、遊技演出中に球通過部を遊技球が通過すると、遊技演出を伴うことなく単に導入補助装置の動作が行われ、その分動作回数が減じられてしまう。つまり、球通過部の遊技球通過が無駄になる。この構成において上記手段２を採用すれば、球通過部を遊技球が通過した際には遊技演出の時短処理が行われるため、球通過部の遊技球通過が無駄になることが防止でき、前記規定された動作回数分だけ遊技演出を実施することの実現可能が高められる。
【００１６】
手段４．手段１乃至手段３のいずれかにおいて、前記球通過部の遊技球通過に伴い前記遊技球導入装置が遊技球導入を可能又は容易な状態とされる時、前記演出時間短縮化手段は、前記球通過部の遊技球通過の検出に代えて、遊技球導入装置が動作されることに合わせて遊技演出時間の短縮化を実施することを特徴とする遊技機。
【００１７】
手段４によれば、遊技球導入装置が動作されることに合わせて遊技演出時間の短縮化が実施される。つまり本手段では、球通過部の遊技球通過の検出をトリガとするのではなく、遊技球導入装置の動作をトリガとして遊技演出時間の短縮化を実施するようにしている。本構成にあっても前記同様、遊技者が不利と感じる要因を排斥し、ひいては遊技の興趣を高めることが可能となる。
【００１８】
手段５．演出始動口（特別入賞作動口４３）を有する遊技球導入装置（遊技球導入ユニット４８）と、
所定の球通過部（契機作動口３２）を遊技球が通過することで一時的に開放状態となり、前記遊技球導入装置への遊技球の導入を可能又は容易とする開閉装置（電動入賞装置３３）と、
該開閉装置の開放に伴い前記遊技球導入装置に導入された遊技球が更に前記演出始動口を通過することを一条件に所定の遊技演出を行う遊技演出手段（図柄表示装置４１、表示制御装置２１４）と、を備えた遊技機において、
前記遊技演出手段により遊技演出が行われている最中に前記球通過部を遊技球が通過した際その遊技球通過を検出し、その時の遊技演出の時間を短縮する演出時間短縮化手段（主制御装置２７１）を備えたことを特徴とする遊技機。
【００１９】
手段５によれば、所定の球通過部を遊技球が通過することで、開閉装置が一時的に開放されて遊技球導入装置への遊技球の導入が可能又は容易となり、遊技球導入装置に導入された遊技球が更に演出始動口を通過することを一条件に所定の遊技演出が行われる。また特に、遊技演出が行われている最中に前記球通過部を遊技球が通過した際その遊技球通過が検出され、その時の遊技演出の時間が短縮されるようになっている。
【００２０】
要するに、球通過部を遊技球が通過すること、開閉装置が開放されて遊技球が遊技球導入装置に導入されることの前段階を経ることで遊技球が演出始動口を通過することが可能となり、本来はそれを契機として所定の遊技演出が開始されるが、その時既に遊技演出が行われていると遊技演出が開始できない場合が生じる。かかる場合、前段階を経て折角遊技球が演出始動口を通過してもそれが無駄となり、遊技者は大いに不利益を受けたような印象を受ける。これに対して本手段５では、前記球通過部を遊技球が通過した際には遊技演出の時間が短縮されるため、現に実施されている遊技演出を早急に終了させて次の遊技演出を開始することが可能となる。その結果、演出始動口の遊技球通過を無駄にすることなく、所望とする遊技演出を有効に行わせることができる。よって、遊技者が不利と感じる要因を排斥し、ひいては遊技の興趣を高めることが可能となる。
【００２１】
手段６．演出始動口（特別入賞作動口４３）を有する遊技球導入装置（遊技球導入ユニット４８）と、
所定の球通過部（契機作動口３２）を遊技球が通過することで所定時間開放状態となり、前記遊技球導入装置への遊技球の導入を可能又は容易とする開閉装置（電動入賞装置３３）と、
該開閉装置の開放に伴い前記遊技球導入装置に導入された遊技球が更に前記演出始動口を通過することを一条件に所定の遊技演出を行う遊技演出手段（図柄表示装置４１、表示制御装置２１４）と、
通常遊技状態とは異なる所定遊技状態において前記球通過部を遊技球が通過すると通常時よりも延長した開放時間で前記開閉装置を開放状態とする開放延長化手段（主制御装置２７１）と、を備えた遊技機において、
前記所定遊技状態で前記遊技演出手段により遊技演出が行われている最中に球通過部を遊技球が通過した際その遊技球通過を検出し、その時の遊技演出の時間を短縮する演出時間短縮化手段（主制御装置２７１）を備えたことを特徴とする遊技機。
【００２２】
手段６によれば、所定の球通過部を遊技球が通過することで、開閉装置が所定時間開放されて遊技球導入装置への遊技球の導入が可能又は容易となり、遊技球導入装置に導入された遊技球が更に演出始動口を通過することを一条件に所定の遊技演出が行われる。また、通常遊技状態とは異なる所定遊技状態下では前記球通過部を遊技球が通過すると、前記開閉装置が、通常時よりも延長した開放時間で開放状態とされる。こうして開閉装置の開放時間が延長されることにより、所定遊技状態においては、遊技球が開閉装置を介して遊技球導入装置に導入される可能性が高められ、前記遊技演出（例えば、所定の利益発生状態に関連した遊技演出）の実施回数が増える。それ故、遊技者は、所定の利益発生状態が付与されることの期待感を高めることができる。また特に、所定遊技状態で遊技演出が行われている最中に前記球通過部を遊技球が通過した際その遊技球通過が検出され、その時の遊技演出の時間が短縮されるようになっている。
【００２３】
要するに、球通過部を遊技球が通過すること、開閉装置が開放されて遊技球が遊技球導入装置に導入されることの前段階を経ることで遊技球が演出始動口を通過すことが可能となり、所定遊技状態下では演出始動口への遊技球通過の期待がより一層高められる。そして、本来はそれを契機として所定の遊技演出が開始されるが、その時既に遊技演出が行われていると遊技演出が開始できない場合が生じる。かかる場合、前段階を経て折角遊技球が演出始動口を通過してもそれが無駄となり、遊技者は大いに不利益を受けたような印象を受ける。これに対して本手段６では、前記球通過部を遊技球が通過した際には遊技演出の時間が短縮されるため、現に実施されている遊技演出を早急に終了させて次の遊技演出を開始することが可能となる。その結果、演出始動口の遊技球通過を無駄にすることなく、所望とする遊技演出を有効に行わせることができる。よって、遊技者が不利と感じる要因を排斥し、ひいては遊技の興趣を高めることが可能となる。
【００２４】
手段７．手段６において、前記所定遊技状態下で、前記球通過部を遊技球が通過する回数をカウントするとともに、そのカウント数が所定値になるまでの間、前記球通過部を遊技球が通過すると通常時よりも延長した開放時間で前記開閉装置を開放状態とすることを特徴とする遊技機。
【００２５】
所定遊技状態において開閉装置の開放回数が球通過部の遊技球通過数で規定されている場合、遊技演出中に球通過部を遊技球が通過すると、遊技演出を伴うことなく単に開閉装置の開放動作が行われ、その分開放回数が減じられてしまう。つまり、球通過部の遊技球通過が無駄になる。これに対して上記手段６を採用すれば、球通過部を遊技球が通過した際には遊技演出の時短処理が行われるため、球通過部の遊技球通過が無駄になることが防止でき、前記規定された開放回数分だけ遊技演出を実施することの実現可能が高められる。
【００２６】
手段８．手段５乃至手段７のいずれかにおいて、前記球通過部の遊技球通過に伴い前記開閉装置が開放される時、前記演出時間短縮化手段は、前記球通過部の遊技球通過の検出に代えて、開閉装置が開放されることに合わせて遊技演出時間の短縮化を実施することを特徴とする遊技機。
【００２７】
手段８によれば、開閉装置が開放されることに合わせて遊技演出時間の短縮化が実施される。つまり本手段では、球通過部の遊技球通過の検出をトリガとするのではなく、開閉装置の開放動作をトリガとして遊技演出時間の短縮化を実施するようにしている。本構成にあっても前記同様、遊技者が不利と感じる要因を排斥し、ひいては遊技の興趣を高めることが可能となる。
【００２８】
手段９．手段１乃至手段８のいずれかにおいて、前記演出時間短縮化手段は、前記球通過部を遊技球が通過してそれが検出された後、それに引き続いて遊技球が前記演出始動口を通過するまでに、前記遊技演出を終了させるよう遊技演出時間を短縮することを特徴とする遊技機。
【００２９】
手段９によれば、球通過部を遊技球が通過してそれが検出された後、それに引き続いて遊技球が演出始動口を通過するまでに、前記遊技演出を終了させるよう遊技演出時間が短縮されるため、遊技演出の最中に球通過部を遊技球が通過した際には、その遊技球通過に伴う新たな遊技演出を確実に行うことができる。
【００３０】
手段１０．手段１乃至手段９のいずれかの遊技機において、前記球通過部を通過する遊技球と、前記遊技球導入装置に導入される遊技球とは別であること。
【００３１】
球通過部を通過する遊技球と、遊技球導入装置に導入される遊技球とが別であれば、それらが同一遊技球である場合と比べて、遊技球が演出始動口に導かれるための前段階がより厳しいものとなり、遊技球が演出始動口を通過することの価値が高まる。上記各手段によれば、遊技球が演出始動口を通過することの価値を損なわせるような事態が回避できる。
【００３２】
手段１１．手段１乃至手段１０のいずれかの遊技機において、前記遊技球導入装置は、遊技球を前記演出始動口に導くか、それ以外の部位に導くかを振り分ける振り分け手段を具備すること。
【００３３】
遊技球導入装置に導入された遊技球が演出始動口かそれ以外の部位かに振り分けられるのであれば、その振り分けが無い場合と比べて、遊技球が演出始動口に導かれるための前段階がより厳しいものとなり、遊技球が演出始動口を通過することの価値が高まる。上記各手段によれば、遊技球が演出始動口を通過することの価値を損なわせるような事態が回避できる。
【００３４】
手段１２．手段１乃至手段１１のいずれかにおいて、前記球通過部を遊技球が通過した履歴を留保する留保機能を不具備とすることを特徴とする遊技機。
【００３５】
球通過部の遊技球通過の留保機能を不具備とする（留保機能を持たない）遊技機では、球通過部を遊技球が通過した際には、前記遊技演出手段による遊技演出に関係なく、遊技球通過に伴う導入補助装置や開閉装置の動作を直ぐに実施しないと前記遊技球通過が無駄になるが、上記各手段によれば、こうした遊技機に特に好都合な構成が実現できる。
【００３６】
手段１３．手段１乃至手段１２のいずれかにおいて、前記演出始動口を遊技球が通過した履歴を留保する留保機能を不具備とすることを特徴とする遊技機。
【００３７】
演出始動口の遊技球通過の留保機能を不具備とする（留保機能を持たない）遊技機では、演出始動口を遊技球が通過した際には、遊技球通過に伴う遊技演出を直ぐに開始しないと前記遊技球通過が無駄になるが、上記各手段によれば、こうした遊技機に特に好都合な構成が実現できる。
【００３８】
以下に、以上の各手段を適用し得る各種遊技機の基本構成を示す。
【００３９】
遊技領域を拡張した遊技機：左右一側部側を中心に左右他側部側が開閉可能となるように構成され、遊技盤（遊技盤３０）を支持した遊技機本体（本体枠１２等）と、
前記遊技盤の前面に設けられたレール部材（レールユニット５０）により略円形状に区画された遊技領域と、
前記遊技機本体の前面側にて前記左右一側部側を中心に前記左右他側部が開閉可能となるよう支持され、閉鎖状態において前記遊技領域を視認可能な視認窓（窓部１０１）を有した前面扉（前扉枠１３）と
を備え、
前記遊技機本体の前記左右一側部には長尺状の補強部材（軸受け金具２３５）を上下方向へ延びるように設けるとともに、前記遊技機本体の前記左右他側部には前記遊技機本体及び前面扉の開放を禁止するように施錠する施錠装置（シリンダ錠９１、連動杆２４８等）を設け、
該施錠装置は、遊技機本体の前記左右他側部に上下方向へ延びるようにかつ上下方向へ移動可能となるように設けられた長尺状の連動部材（連動杆２４８）と、遊技機本体の前記左右他側部のうち前記遊技領域の最大幅となる位置とは異なる位置に設けられ前記連動部材を上側又は下側に選択的に移動させる鍵部材（シリンダ錠９１）とを備え、該鍵部材の操作による前記連動部材の上下一方への移動により遊技機本体の施錠が解除されるとともに、前記連動部材の上下他方への移動により前記前面扉の施錠が解除されるように構成し、
前記遊技盤を前記遊技機本体の幅内において前記補強部材及び連動部材を左右に振り分けて配置するための領域を残した幅となるように形成するとともに、前記遊技盤の左右両側部には前記遊技機本体の左右両側からの張出領域との干渉を回避するように部分的に凹部（切欠３８）を形成し、さらに、前記レール部材のうち、前記遊技領域の最大幅となる位置を、遊技盤の左右端位置に至るように配設することにより、
遊技領域を拡張したことを特徴とする遊技機。
【００４０】
弾球遊技機：遊技者が操作する操作手段（遊技球発射ハンドル１８）と、その操作手段の操作に基づいて遊技球を弾いて発射する球発射手段（発射モータ２２９等）と、その発射された遊技球を所定の遊技領域に導く球通路（レールユニット５０の球案内通路）と、遊技領域内に配置された各遊技部品（一般入賞口３１、契機作動口３２、電動入賞装置３３、始動入賞装置３４、変動入賞装置３５、図柄表示装置４１等）とを備えた遊技機。
【発明を実施するための最良の形態】
【００４１】
以下、遊技機の一種であるパチンコ遊技機（以下、「パチンコ機」という）の一実施の形態を、図面に基づいて詳細に説明する。図１はパチンコ機１０の正面図、図２はパチンコ機１０の主要な構成を展開又は分解して示す斜視図、図３はパチンコ機１０を構成する本体枠１２の前面構成を示す正面図である。なお、図２，３では便宜上、パチンコ機１０の遊技領域内の構成を空白としている。
【００４２】
図１〜図３に示すように、パチンコ機１０は、当該パチンコ機１０の外殻を形成する外枠１１を備えている。外枠１１は、遊技ホールへの設置の際に、いわゆる島設備に取り付けられる。外枠１１は、木製の板材を全体として矩形枠状に組み合わせた状態とされ、各板材を小ネジ等の離脱可能な締結部材により固定することによって構成されている。従って、釘やリベットを使って各板材を組み付けていた従来構造と比べて構成部材の再利用（リユース）が容易な構成となっている。本実施の形態では、外枠１１の上下方向の外寸は８０９ｍｍ（内寸７７１ｍｍ）、左右方向の外寸は５１８ｍｍ（内寸４８０ｍｍ）となっている。なお、外枠１１を合成樹脂やアルミニウム等の金属によって構成してもよい。
【００４３】
外枠１１の一側部には、本体枠１２が開閉可能に支持されている。その開閉軸線はパチンコ機１０の正面からみて左側に上下へ延びるように設定されており、その開閉軸線を軸心にして本体枠１２が前方側に開放できるようになっている。更に言うと、本パチンコ機１０には右側に遊技球発射ハンドル１８の設置箇所が設けられているため、遊技球発射ハンドル１８とは反対側の側部を中心に本体枠１２を開閉可能としたということができる。本体枠１２は合成樹脂、具体的にはＡＢＳ樹脂により構成されている。ＡＢＳ樹脂を用いることにより、比較的低コストで耐衝撃性の高い本体枠１２を得ることができる。本体枠１２をアルミニウム等の金属によって構成してもよい。なお本実施の形態では、外枠１１と本体枠１２とにより遊技機本体が構成されている。外枠１１に代わる構成として設置枠体を遊技ホール側に予め設けておき、遊技ホールへのパチンコ機１０の設置に際しては本体枠１２を前記設置枠体に組み付ける構成とすることも可能である。かかる構成では、本体枠１２とにより遊技機本体が構成される。
【００４４】
本体枠１２の前面側の下部位置には、前面板１４が設けられている。前面板１４は横長状に形成され、その横幅は本体枠１２の横幅とほぼ一致するように構成されている。前面板１４は、幅方向ほぼ中央部において手前側へ膨出した膨出部１５ａを有するベース部１５と、ベース部１５の膨出部１５ａ内側に設けられ下方にくぼんだ皿形状をなす球受皿としての下皿１６と、下皿１６の奥側の壁面を構成する奥壁パネル１７とを備えている。ベース部１５は本体枠１２に対してネジ等の締結部材により固定されていることから、ベース部１５が本体枠１２に対する取付部を構成している。ベース部１５には膨出部１５ａよりも右方に、手前側へ突出するようにして遊技球発射ハンドル１８が設けられている。奥壁パネル１７には球排出口１７ａが設けられており、球排出口１７ａより排出された遊技球が下皿１６内に貯留されるようになっている。
【００４５】
ベース部１５の膨出部１５ａ前面側にはスライド式の球抜きレバー１９が設けられている。なお、球抜きレバー１９はプッシュ式としてもよい。そして、球抜きレバー１９が操作されると下皿１６の底面に設けられた図示しない閉鎖板が一体に又はリンクを介して移動して球抜き穴が開放され、下皿１６内の貯留球が下方に排出されるよう構成されている。球抜きレバー１９には球抜き穴を塞ぐ側へ球抜きレバー１９を付勢するコイルバネ等の付勢部材が設けられ、球抜きレバー１９の操作が解除された際には付勢部材の付勢力によって閉鎖板が球抜き穴の開放位置に復帰する構成となっている。奥壁パネル１７の球排出口１７ａとは異なる位置には、多数の小孔が集合したスピーカカバー部１７ｂが形成されており、当該パネル１７の後方に設置されたスピーカ２０の出力音がスピーカカバー部１７ｂを通じて前方に発せられるようになっている。
【００４６】
ベース部１５には膨出部１５ａの左方に灰皿２１が設けられている。灰皿２１は、内部に溜まった吸い殻等を除去しやすいように手前側下方に反転可能に取り付けられており、その右側面と背面とでベース部１５に対面している。具体的な図示は省略するが、灰皿２１の右側面には当該灰皿２１を回動可能な状態で片持ち支持するための支軸が設けられ、同背面には灰皿２１が図示のように上方に開口した位置でベース部１５に係止される係止部が設けられている。前面板１４はその大部分が本体枠１２と同様、ＡＢＳ樹脂にて成形されている。前面板１４はパチンコ機１０の前面側に露出されるが、ＡＢＳ樹脂で成形していることによって、装飾等の目的で表面の適宜箇所にメッキを施すことが可能となる。なお、灰皿２１が近くに配置されている関係上、下皿１６と奥壁パネル１７とを構成する部位に関しては難燃性のＡＢＳ樹脂を用い、仮に誤ってたばこ等を置いても燃えにくくなるよう構成することが好ましい。
【００４７】
本体枠１２の前面側の前面板１４を除く範囲には、本体枠１２を覆うようにして前面扉としての前扉枠１３が設けられている。従って、前面板１４と前扉枠１３とにより本体枠１２の前面側全体が覆われている。前扉枠１３は、本体枠１２に対して開閉可能に取り付けられており、本体枠１２と同様、パチンコ機１０の正面からみて左側に上下に延びる開閉軸線を軸心にして前方側に開放できるようになっている。なお、前扉枠１３は前面板１４と同様、ＡＢＳ樹脂にて成形されている。前扉枠１４はパチンコ機１０の前面側に露出されるが、ＡＢＳ樹脂で成形していることによって、装飾等の目的で表面の適宜箇所にメッキを施すことが可能となる。
【００４８】
前扉枠１３の下部位置には、下皿１６の上方において手前側へ膨出した膨出部２２が設けられ、その膨出部２２内側には上方に開口した上皿２３が設けられている。上皿２３は、後述する払出装置より払い出された遊技球を一旦貯留し、一列に整列させながら遊技球発射装置側へ導くための球受皿である。膨出部２２前面側には上皿２３用の球抜きレバー２４が設けられており、この球抜きレバー２４を操作すると上皿２３の最下流部付近に設けられた球抜き通路（図示略）が開放され、上皿２３内の貯留球が下皿１６へ排出されるようになっている。なお、上皿２３も下皿１６等と同様、難燃性のＡＢＳ樹脂にて構成することが可能である。
【００４９】
本パチンコ機１０では、ガラス扉枠と前飾り枠とを個別に設けこれらを前面枠（本実施の形態の本体枠に相当）に対して各々開閉可能とすると共に前飾り枠に上皿を設けていた従来構成と異なり、ガラス扉枠と前飾り枠とを１つに統合して前扉枠１３とし、前扉枠１３に対して一体的に上皿２３を設ける構成としている。この場合、ガラス扉枠と前飾り枠とを１つに統合して前扉枠１３としたため、当該前扉枠１３においてガラス支持構造の強度向上が実現できる。つまり、本パチンコ機１０では、遊技領域の拡張を目的とし、その遊技領域拡張に伴い大きめのガラス１３７を前扉枠１３に搭載している。従って、ガラス周囲の枠部分が幅狭になり、強度低下の問題が懸念されるが、ガラス下方に上皿一体の枠部分を設けること等によりガラス支持構造の十分な強度が確保できる。なお、ガラス１３７の縦横寸法は、従来一般に４０５ｍｍ×４０５ｍｍであったのに対し、本パチンコ機１０では４５３ｍｍ×４３４ｍｍとしている。
【００５０】
また、前扉枠１３は、少なくともその開閉の際に遊技球発射ハンドル１８と干渉しないようにして下方に拡張されている。具体的な数値を示すと、パチンコ機下端から前扉枠１３の下端までの寸法Ｌａは、既存の一機種で例えば約２０１ｍｍであるのに対し、本パチンコ機１０では３０ｍｍ程小さく、約１７２ｍｍとなっている。また、これに伴いパチンコ機下端から上皿２３の上端までの寸法Ｌｂも小さくなっており、既存の一機種では例えば約２９８ｍｍであるのに対し、本パチンコ機１０では約２６１ｍｍとなっている。ここで、上皿２３の位置を下げたことにより、遊技ホールにおいてパチンコ機１０左側に並設される球貸し装置のノズル先端との上下方向の距離が大きくなって貸球のこぼれ落ち等が懸念されるが、本実施の形態では、当該ノズルからの貸球排出部分となる左側部分において、膨出部２２の壁面を他の壁面より高くした立ち上げ部２２ａを形成している。これにより、上皿２３の位置を下げた構成にあっても貸球のこぼれ落ち等の不都合が解消されるようになっている。立ち上げ部２２ａの高さ寸法は上皿２３の下げ寸法に見合うものであれば良く、その最大高さ寸法は本実施の形態では２５ｍｍとされている。
【００５１】
なお、前扉枠１３においては、上皿形成のための膨出部２２が手前側に大きく膨出して設けられるが、上皿２３より上方のそれ以外の部位（後述する環状電飾部１０２等）は、球貸し装置のノズルとの干渉を避けるべく手前側への膨出が制限されている。具体的には、外枠１１からの手前側への寸法が４５〜５０ｍｍに制限されている。
【００５２】
図３に示すように、本体枠１２は、外形が前記外枠１１とほぼ同一形状をなす樹脂ベース２５を主体に構成されており、樹脂ベース２５の中央部には略円形状の窓孔２６が形成されている。樹脂ベース２５の後側には遊技盤３０が着脱可能に装着されている。図４に示すように、遊技盤３０は略四角形状の合板よりなり、その周縁部が樹脂ベース２５の裏側に当接した状態で取着されている。すなわち、遊技盤３０はパチンコ機１０後方より取り付けられ、遊技盤３０の前面部の略中央部分だけが樹脂ベース２５の窓孔２６を通じて本体枠１２の前面側に露出した状態となっている。なお、遊技盤３０は、従来と同様、上下方向の長さは４７６ｍｍ、左右方向の長さは４５２ｍｍとなっている。
【００５３】
次に、遊技盤３０の構成を図４に基づいて説明する。遊技盤３０には、ルータ加工が施されることによって前後方向に貫通する大小複数の開口部が形成されており、その開口部には各種入賞装置や表示装置などが配設されている。すなわち、遊技盤３０には一般入賞口３１、契機作動口３２、電動入賞装置３３、始動入賞装置３４、変動入賞装置３５及び図柄表示装置４１等がそれぞれ設けられている。その他、遊技盤３０には、遊技球の落下方向を適宜分散、調整等するために多数の釘が植設されていると共に、風車３７等の各種部材（役物）が配設されている。かかる構成において、遊技盤３０の略中央には図柄表示装置４１が配設され、その左方に契機作動口３２が、上方に電動入賞装置３３が、右方に始動入賞装置３４及び変動入賞装置３５がそれぞれ配設されている。なお本実施の形態では、遊技盤３０の略中央部に少年を形取ったキャラクタ体が配設され、該キャラクタ体に組み合わせて電動入賞装置３３、図柄表示装置４１や、後述する特別入賞装置４０が一体に設けられている。一般入賞口３１や契機作動口３２に遊技球が入賞すると、それが図示しない入賞検出スイッチにより検出され、その検出結果に基づいて上皿２３（場合によっては下皿１６）に対し所定数の賞品球が払い出される。以下には、各入賞装置等の主要な構成をより詳しく説明する。
【００５４】
電動入賞装置３３は、左右一対の可動片３３ａ，３３ｂを有する電動役物として構成されており、契機作動口３２への入賞をトリガ（契機）として所定時間だけ開放状態とされるようになっている。詳しくは、前記可動片３３ａ，３３ｂは、通常の非作動状態では遊技盤上方に向かって起立しており、かかる状態では遊技球が電動入賞装置３３に入らない、若しくは極めて入りにくい状態となっている。図示の状態では、電動入賞装置３３の上方の釘が辛うじて１個分の遊技球が通過できるように調整されている。一方、契機作動口３２に遊技球が入賞すると、左右の可動片３３ａ，３３ｂが左右方向に略直線状に開放され、電動入賞装置３３が作動状態（開放状態）となる。これにより、電動入賞装置３３付近に流下してきた遊技球が比較的高い確率で当該電動入賞装置３３に入るようになる。なお、電動入賞装置３３への遊技球の入賞は、図示しない入賞検出スイッチにより検出される。
【００５５】
電動入賞装置３３に入った遊技球は、図柄表示装置４１下方の特別入賞装置上流領域４２に流れ込み、更に特別入賞作動口４３を介して特別入賞装置４０に導かれる。このとき、遊技球が特別入賞作動口４３に入ったことは図示しない検出スイッチにより検出され、その際の検出信号をトリガとして図柄表示装置４１の図柄の変動表示が開始される。但し、特別入賞装置上流領域４２には、特別入賞作動口４３の他に別の入賞口を設けておいても良く、かかる場合には特別入賞装置上流領域４２に流れ込んだ遊技球のうち、特別入賞作動口４３に入った遊技球のみが特別入賞装置４０に導かれる。電動入賞装置３３から特別入賞装置上流領域４２に至る図示しない球通路や、特別入賞作動口４３を有する特別入賞装置上流領域４２は遊技球導入ユニット４８として構成されており、この遊技球導入ユニット４８には図柄表示装置４１も一体化されている。
【００５６】
特別入賞装置４０は図の左右両方向に回転可能な特別入賞装置回転体４４を有してなり、図柄表示装置４１の停止図柄に応じて特別入賞装置回転体４４が左右何れかの方向に回転することで、特別入賞装置４０に導かれた遊技球が通過入賞領域４５ａ又は特別装置作動領域４５ｂのいずれかに振り分けられるようになっている。すなわち、図柄表示装置４１の停止図柄が予め設定した特定の図柄の組合せ（当たり図柄）にならなければ、特別入賞装置回転体４４が図の左方向（反時計回り方向）に回転し、これにより遊技球が通過入賞領域４５ａに導かれる。また、図柄表示装置４１の停止図柄が予め設定した特定の図柄の組合せ（当たり図柄）になれば、特別入賞装置回転体４４が図の右方向（時計回り方向）に回転し、これにより遊技球が特別装置作動領域４５ｂに導かれる。この場合、遊技球が通過入賞領域４５ａに導かれると、それが図示しない通過球検出スイッチにより検出され、その検出信号に基づいて所定個数（例えば１５個）の賞球が払い出される。また、遊技球が特別装置作動領域４５ｂに導かれると、それが図示しない特別入賞検出スイッチにより検出され、その検出信号に基づいて前記同様所定個数の賞球が払い出されると共に、権利発生状態の発生と消滅とが切り替えられるようになっている。以下、権利発生状態の発生を特別装置の作動とも言い、権利発生状態の消滅を特別装置の作動終了とも言う。
【００５７】
図柄表示装置４１は液晶表示装置にて構成されており、前記キャラクタ体の左右両眼にあたる部分が開口されて表示部４１ａとなっている。この図柄表示装置４１は後述する表示制御装置により表示内容が制御される。左右の各表示部４１ａには数字やアルファベットなど、比較的簡易な図柄が表示されるようになっており、例えば１，３，５，７，９の各数字が所定順序で変動表示される。なお、図柄表示装置４１は、液晶表示装置以外に、ドットマトリックスや７セグメント等その他の構成を有するものであってもよい。
【００５８】
始動入賞装置３４には、遊技盤３０に対して垂直方向に延びる回転軸を中心に回転する円盤状の回転体４６が設けられており、この回転体４６は遊技盤３０上で所定方向（例えば時計回り方向）に一定速度で回転する。回転体４６には、１カ所に受入凹部４６ａが形成されており、回転体４６の回転に伴い受入凹部４６ａが真上位置に来た時にだけ遊技球が受入凹部４６ａに入ることが許容されるようになっている。また、回転体４６の背後にはその下部外周位置付近に入賞口４７が設けられており、当該入賞口４７への遊技球の入賞は図示しない始動入賞検出スイッチにより検出されるようになっている。かかる構成において、遊技球が受入凹部４６ａに入り保持されると、その状態で回転体４６が回転し、その後遊技球が入賞口４７に導かれる。そして、特別装置の作動中において遊技球が入賞したことに基づいて変動入賞装置３５が作動状態とされる。なお、始動入賞装置３４（入賞口４７）に遊技球が入賞した際には所定個数（例えば７個）の賞球が払い出される。
【００５９】
変動入賞装置３５は、左右一対の可動片３５ａ，３５ｂを有する電動役物として構成されている。通常の非作動状態では左右の可動片３５ａ，３５ｂが遊技盤上方に向かって起立しており、この状態ではその直ぐ上に植設された複数本の釘により遊技球の入賞が不可能になっている（図示の状態）。そして、変動入賞装置３５が作動することで、各可動片３５ａ，３５ｂが左右方向に略直線状に開放され、変動入賞装置３５付近に流下してきた遊技球が比較的高い確率で可動片３５ａ，３５ｂに拾われるようになっている。変動入賞装置３５の作動（開放）は、特別装置の作動中において始動入賞装置３４に遊技球が入賞したことに基づいて実行され、所定個数（例えば１０個）の入賞があるまで、又は一定時間（例えば９．５秒）が経過するまで１回の開放が継続される。そして、１回の開放を１ラウンドとして、これが所定のラウンド数分繰り返し実施される。なお、変動入賞装置３５への遊技球の入賞は図示しないカウントスイッチにより計数される。
【００６０】
上記した各種入賞装置等への遊技球の入賞がそれぞれの各種検出スイッチにより検出されると、その検出信号は何れも、後述する主制御装置２７１に入力されるようになっている。
【００６１】
遊技の一連の流れを説明する。先ず契機作動口３２に遊技球が入賞することによって電動入賞装置３３が所定時間開放され、その電動入賞装置３３に遊技球が入賞すると、遊技球が特別入賞作動口４３を介して特別入賞装置４０に導かれる。これにより、図柄表示装置４１で図柄の変動表示が開始され、所定の表示演出が行われた後、図柄が停止する。その際、停止図柄が所定の当たり図柄にならなければ、特別入賞装置回転体４４により遊技球が通過入賞領域４５ａに導かれ、所定の賞球払出のみが行われる。これに対し、停止図柄が所定の当たり図柄になると、特別入賞装置回転体４４により遊技球が特別装置作動領域４５ｂに導かれ、それに伴い権利発生状態に至り特別装置が作動する。その後、遊技球が始動入賞装置３４に入賞することによって変動入賞装置３５が開放状態とされ、変動入賞装置３５への入賞に伴い規定の賞球が払い出される。そして、これが所定のラウンド分継続された後、権利発生状態が消滅し、特別装置の作動が終了する。
【００６２】
その他に、遊技盤３０の最下部にはアウト口３９が設けられており、各種入賞装置等に入らなかった遊技球はアウト口３９を通って図示しない球排出路の方へと案内されるようになっている。アウト口３９は、遊技盤３０の下端略中央を逆Ｕ字状に切り欠いて形成されている。そのため、アウト口を穴状に形成していた従来構成に比べ、アウト口形成が容易となる（但し、図４では手前側にレールユニット５０が重ねて設けられているため、アウト口３９が閉じた状態で示されている）。
【００６３】
遊技盤３０の左右両側部には、組付相手である本体枠１２の左右両側からの張出領域との干渉を回避するように凹部としての切欠３８が複数箇所に形成されている。
【００６４】
前述したとおり、本パチンコ機１０では上皿２３の位置が下げられており、それに伴い上皿２３の最下流部に設けた遊技球の取込口の位置も同様に下げられている。この場合、遊技球取込口が比較的高い位置にあった従来構成では、遊技球取込口と遊技盤３０とが前後に重なり、遊技盤３０には遊技球取込口に対応する切欠を設ける必要があったが、本パチンコ機１０では、遊技球取込口を下げたことにより遊技球取込口と遊技盤３０とが前後に重なることがなく、遊技球取込口用の切欠の形成が不要となる。故に、遊技盤３０の製作工程上、有利な構成となる。
【００６５】
遊技盤３０には、遊技球発射装置から発射された遊技球を遊技盤３０上部へ案内するためのレール部材としてのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品にて構成されており、より具体的には、摩擦抵抗を低減するべくフッ素配合のポリカーボネート樹脂が用いられている。レールユニット５０は、内外二重に設けられた内レール部５１と外レール部５２とを有する。内レール部５１は上方の約１／４ほどを除いて略円環状に形成され、外レール部５２は内レール部５１の上方開放領域を囲むようにかつ内レール５１の左側部と並行するように略半円環状に形成されている。
【００６６】
内レール部５１は、他の樹脂部分と一体成型され、遊技盤３０の面上にほぼ垂直に起立して設けられている。また、外レール部５２は、内レール部５１と同様に他の樹脂部分と一体成型され、遊技盤３０の面上にほぼ垂直に起立して設けられた支持部５２ａを有し、その支持部５２ａの内側面に、遊技球の飛翔をより滑らかなものとするための摺動プレート５２ｂが取り付けられている。摺動プレート５２ｂは、長尺状をなすステンレス製の金属帯よりなり、複数箇所で支持部５２ａに支持されている。かかる場合、内レール部５１と外レール部５２とにより誘導レールが構成され、これら各レール部５１，５２が所定間隔を隔てて対向する部分により球案内通路が形成されている。なお、内外のレール部５１，５２が対向する部位では、遊技盤３０との当接部５３により各レール部５１，５２が連結されており、球案内通路は手前側に開放した溝状に形成されている。
【００６７】
レールユニット５０において、前記球案内通路より遊技球が飛び出す部位（図４の左上部）には戻り球防止部材５４が取着され、該飛び出した遊技球の最大飛翔部分に対応する部位（図４の右上部）には返しゴム５５が取着されている。戻り球防止部材５４により、一旦球案内通路から遊技盤３０の上部へと飛び出した遊技球が球案内通路内に戻ってしまうといった事態が防止される。また、所定以上の勢いで発射された遊技球は返しゴム５５に当たり、遊技領域の中央寄りに跳ね返されるようになっている。
【００６８】
レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされる。ここで、レールユニット５０の上下及び左右の各端部は略直線状に形成されている。つまり、レールユニット５０の上下及び左右の各端部においてはフランジ５６が切り落とされ、パチンコ機１０における有限の領域にてレール径の拡張、すなわち遊技盤３０上の遊技領域の拡張が図られるようになっている。レールユニット５０は、遊技盤３０上の遊技領域の最大幅となる位置が遊技盤３０の左右端位置に至るように配設されている。なお、レールユニット５０の球案内通路に対応する部位のなかでも特に遊技球の受け入れ部位に関しては、当該レールユニット５０を強固に取り付けて遊技球の飛びを安定させるべく、該当するフランジ５６が他よりも多い箇所（本実施の形態では３カ所、他は２カ所）でネジ止めされている。
【００６９】
内レール部５１及び外レール部５２間の球案内通路の入口には、同球案内通路の一部を閉鎖するようにして凸部５７が形成されている。凸部５７は、内レール部５１の外周部から下方へ延びるように形成され、遊技領域まで至らず球案内通路内を逆流してくるファール球をファール球通路７６（図３参照）に導く機能を有する。遊技盤３０の右下隅部及び左下隅部は、証紙等のシールやプレートを貼着するためのスペース（図のＳａ，Ｓｂ）となっており、この貼着スペースを確保するために、フランジ５６に切欠５８ａ，５８ｂが形成されている。証紙等のシールを遊技盤３０に直接貼り付ける構成とすることで、証紙等の不正な貼り直し等が行いにくいものとなっている。
【００７０】
遊技盤３０においてレールユニット５０よりも外方の左上部には、前後に貫通した中継端子孔５９が設けられており、この中継端子孔５９を通じて、遊技盤裏面に設置した中継端子板の接続コネクタ６０がパチンコ機１０前面側に露出されるようになっている。
【００７１】
次に、遊技領域について説明する。遊技盤３０の盤面はレールユニット５０（内外レール部５１，５２）により内外領域に区画され、略円形状に区画された内側領域が遊技領域とされている。特に本実施の形態では、遊技盤３０の盤面上に区画される遊技領域が従来よりもはるかに大きく構成されている。本実施の形態では、外レール部５２の最上部地点から遊技盤３０下部までの間の距離は４４５ｍｍ（従来品よりも５８ｍｍ長い）、外レール部５２の極左位置から内レール部５１の極右位置までの間の距離は４３５ｍｍ（従来品よりも５０ｍｍ長い）となっている。また、内レール部５１の極左位置から内レール部５１の極右位置までの間の距離は４１８ｍｍとなっている。
【００７２】
本実施の形態では、遊技領域を、パチンコ機１０の正面から見て内レール部５１及び外レール部５２によって囲まれる領域のうち、内外レール部５１，５２の対向部分である球案内通路の領域を除いた領域として説明する。つまり、遊技領域は球案内通路部分は含まないため、遊技領域の向かって左側限界位置は外レール部５２によってではなく内レール部５１によって特定される。また、遊技領域の向かって右側限界位置は内レール部５１によって特定され、遊技領域の下側限界位置はアウト口３９が形成された遊技盤３０の下端位置によって特定され、遊技領域の上側限界位置は外レール部５２によって特定される。従って、本実施の形態では、遊技領域の幅（左右方向の最大幅）は、４１８ｍｍであり、遊技領域の高さ（上下方向の最大幅）は、４４５ｍｍである。
【００７３】
ここで、前記遊技領域の幅は、少なくとも３８０ｍｍ以上あることが望ましい。より好ましくは４００ｍｍ以上、４１０ｍｍ以上、４２０ｍｍ以上、４３０ｍｍ以上、４４０ｍｍ以上、４５０ｍｍ以上、さらに４６０ｍｍ以上であることが望ましい。すなわち、遊技領域の幅寸法は、遊技領域拡大という観点からは大きい程好ましい。また、遊技領域の高さは、少なくとも４００ｍｍ以上あることが望ましい。より好ましくは４１０ｍｍ以上、４２０ｍｍ以上、４３０ｍｍ以上、４４０ｍｍ以上、４５０ｍｍ以上、さらには４６０ｍｍ以上であることがより望ましい。もちろん、４７０ｍｍ以上又は４８０ｍｍ以上としてもよい。すなわち、遊技領域の高さ寸法は、遊技領域拡大という観点からは大きい程好ましい。なお、上記幅及び高さの組合せについては、上記数値を任意に組み合わせたものとすることができる。なお、遊技領域の幅又は高さが一定値以上となると、遊技領域の一部が遊技盤３０の盤面を越えることも考えられるが、その越えた領域については他の部材を遊技盤面に沿って設けること等によって補えばよい。
【００７４】
本実施の形態では、遊技盤３０面に対する遊技領域の面積の比率は約７０％と、従来に比べ格段に面積比が大きいものとなっている。なお、遊技盤３０面に対する遊技領域の面積比は、従来では５０％程度に過ぎなかったことから、本実施の形態のように従来と同様の大きさの遊技盤３０を使用している前提下では相当に遊技領域を拡大しているといえる。なお、パチンコ機１０の外形は遊技ホールへの設置の都合上製造者間でほぼ統一されており、遊技盤３０の大きさも同様とせざるを得ない状況下において、上記のように遊技盤３０面に対する遊技領域の面積の比率を約２０％も高めたことは、遊技領域拡大の観点で非常に有意義である。ここで、前記比率は、少なくとも６０％以上であることが望ましい。さらに好ましくは６５％以上であり、より好ましくは７０％以上である。また、本実施形態の場合を越えて７５％以上であれば、一層望ましい。さらには、８０％以上であってもよい。なお、８０％以上を確保するには遊技領域の形状を略円形状とすることは困難となるため、隅部（例えば右下隅部や右上隅部）を拡張したような形状とすることが好ましい。
【００７５】
また、パチンコ機１０全体の正面側の面積に対する遊技領域の面積の比率は約４０％と、従来に比べ格段に面積比が大きいものとなっている。なお、パチンコ機１０全体の正面側の面積に対する遊技領域の面積比は、３５パーセント以上であるのが望ましい。もちろん、４０パーセント以上としてもよいし、４５パーセント以上、又は５０パーセント以上としてもよい。
【００７６】
遊技領域の拡張に関連して、図柄表示装置４１周囲の釘や風車３７は遊技球を中央の方へ導くような配列で設けられている。これにより、遊技領域が左右方向に拡張されている場合であっても、遊技球を中央の契機作動口３２や特別入賞装置３３の電動役物４５の方へと案内することができ、ひいては、遊技領域が拡張されることにより遊技球が入賞しにくくなることによる興趣の低下が抑制されるようになっている。また、遊技領域が左右方向に拡張されていることによって、比較的大型の図柄表示装置４１及びその周辺ユニットを遊技領域中央に設けても、この図柄表示装置４１及びその周辺ユニットの左右両側に一般入賞口３１、始動入賞装置３４、風車３７、複数の釘（遊技球を中央に誘導するための三角釘等の誘導釘）、他の役物などを余裕をもって配設することができ、左右両側の遊技領域での遊技球の流れが単調とならず、遊技球の挙動を存分に楽しませることができる。
【００７７】
遊技盤３０の左右両側部に切欠３８が形成されて本体枠１２の左右両側からの張出領域との干渉が回避されていること、レールユニット５０において遊技盤３０上の遊技領域の最大幅となる位置が遊技盤３０の左右端位置にまで至るようになっていることは既に述べたが、更に後述するように、本体枠１２の左右両側部に設けられる補強部材（軸受け金具２３５：図９参照）と施錠装置（基枠２４７、連動杆２４８等：図９参照）とを配置するための領域を残した幅となるようにして本体枠１２に遊技盤３０が取り付けられている。これらのことからも、遊技領域の拡張が図られている。
【００７８】
図３の説明に戻り、前記樹脂ベース２５において、窓孔２６（遊技盤３０）の下方には、遊技球発射装置より発射された直後に遊技球を案内するための発射レール６１が取り付けられている。発射レール６１は、その後方の金属板６２を介して樹脂ベース２５に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後球案内通路を通じて遊技領域に案内される。前述のとおり遊技領域が従来よりも大幅に拡張されたことにより、球案内通路の曲率は小さくなっているため、打出球を安定化させるための工夫が必要となる。そこで、本実施の形態では、遊技球の発射位置を低くして発射レール６１の傾斜角度（発射角度）を既存のものよりも幾分大きくし（すなわち発射レール６１を立ち上げるようにし）、また発射レール６１を遊技球発射装置の発射位置から遊技領域の中央位置（アウト口３９）を越える位置まで延びるよう形成することで発射レール６１の長さを既存のものよりも長くして十分な長さの球誘導距離を確保するようにしている。これにより、遊技球発射装置から発射された遊技球をより安定した状態で球案内通路に案内できるようにしている。さらに打出球の安定化を図るべく、発射レール６１を設置した金属板６２を大型化すると共に該金属板６２を多数箇所（本実施の形態では１５〜２０カ所）でネジ止めしており、これにより発射レール６１が遊技盤３０に対して強固に位置決めされている。
【００７９】
発射レール６１と球案内通路との間には所定間隔の隙間があり、この隙間より下方にファール球通路７６が設けられている。従って、仮に遊技球発射装置から発射された遊技球が戻り球防止部材５４まで至らずファール球として球案内通路内を逆戻りする場合には、そのファール球がファール球通路７６を介して下皿１６に排出される。因みに、本実施の形態の場合、発射レール６１の長さは約２４０ｍｍ、発射レール先端部のファール球通路７６に通じる隙間の長さ（発射レール６１の延長線上の長さ）は約４０ｍｍである。
【００８０】
ファール球が球案内通路内を逆流してくる際、その多くは外レール部５２に沿って流れ、外レール部５２の下端部に到達した時点で下方に落下するが、一部のファール球は球案内通路内で暴れ、内レール部５１側へ跳ね上がるものもある。この際、跳ね上がったファール球は、球案内通路入口の前記凸部５７に当たり、ファール球通路７６に誘導される。これにより、ファール球の全てがファール球通路７６に確実に案内され、ファール球と次に発射される遊技球との干渉が抑制される。
【００８１】
なお、詳しい図面の開示は省略するが、遊技球発射装置には、前扉枠１３側の球出口（上皿２３の最下流部より通じる球出口）から遊技球が１つずつ供給される。この際、本実施の形態では遊技球の発射位置を低くしたため、前扉枠１３側の球出口から前記発射位置への落差が大きくなるが、発射レール６１の発射基端部付近にはその右側と手前側にそれぞれガイド部材６３，６４を設置してある。これにより、前扉枠１３側の球出口から供給される遊技球が常に所定の発射位置にセットされ、安定した発射動作が実現できる。また、遊技球発射装置には、基端部を中心に回動可能に支持された打球槌が設けられ、打球槌の回動に伴い遊技球が発射されるが、打球槌に関して軽量化が望まれている。それ故、アルミニウム等の軽金属への材料変更や槌シャフト部寸法の縮小化により打球槌の軽量化を図る一方で、十分な発射力を確保すべく、打球槌のヘッド部（基端部と反対側の先端部）に重り部を設けている。これにより、十分でかつ安定した遊技球の発射が実現できる。打球槌の重り部を上方に突出して設けることにより、打球槌を容易に摘んだりひっかけたりすることができ、槌先の打球強さの調整等がし易くなるという効果も得られる。
【００８２】
また、本体枠１２の前面において発射レール６１の左側には、左右一対の排出口６６，６７が形成されると共に、その前方に、排出口６６，６７より排出された遊技球を上皿２３又は下皿１６の何れかに案内するための遊技球案内ユニット７０が取り付けられている。便宜上以下の説明では、排出口６６を第１排出口、排出口６７を第２排出口ともいう。これら排出口６６，６７は、本体枠１２の背面に設けられた遊技球分配部２４５（図９参照）に通じており、基本的に第１排出口６６より遊技球の排出が行われ、この第１排出口６６も含め上皿２３に通じる通路が遊技球で一杯になると、第１排出口６６に代えて第２排出口６７より遊技球の排出が行われるようになっている。
【００８３】
遊技球案内ユニット７０は、ポリカーボネート樹脂等の透明な樹脂材料により内部を視認可能に構成され、本体枠１２に対して前扉枠１３を閉鎖した状態で本体枠１２と前扉枠１３との間に収まるよう厚みが比較的薄くなるように形成されている。遊技球案内ユニット７０には、前述のファール球通路７６が一体的に形成されている。遊技球案内ユニット７０には、前記排出口６６，６７と下皿１６とを連通するための球排出通路７１が形成されている。遊技球案内ユニット７０には、本体枠１２の第１排出口６６の手前側に、上皿２３に連通する連通口７２が形成され、連通口７２を閉鎖するようにして開閉プレート７３が取り付けられている。開閉プレート７３は支軸７４により回動可能に支持され、付勢手段としてのバネ７５により連通口７２を閉鎖する位置に常時付勢されている。
【００８４】
遊技球案内ユニット７０の上記構成によれば、前扉枠１３を開放した状態ではバネ７５の付勢力により開閉プレート７３が図示の如く起き上がり、連通口７２を閉鎖する。この状態では、第１排出口６６より排出される遊技球が球排出通路７１を通じて下皿１６に案内される。従って、連通口７２の上流側に遊技球が貯留されている状態で前扉枠１３を開放した場合、その貯留球は連通口７２よりこぼれ落ちることなく、球排出通路７１を通じて下皿１６に流下する。つまり、前飾り枠が省略され前扉枠１３に対して上皿２３が直接設けられる構成とした本パチンコ機１０にあっても、前扉枠１３の開放に際し連通口７２の上流側にある遊技球がこぼれ落ちてしまうといった不都合が防止できる。これに対し、前扉枠１３を閉鎖した状態では、前扉枠１３の裏面に設けられた球通路樋１３８（図２参照）によりバネ７５の付勢力に抗して開閉プレート７３が押し開けられる。この状態では、第１排出口６６より排出される遊技球が連通口７２を介して上皿２３に案内される。従って、連通口７２より上流側の遊技球は上皿２３に払い出される。なお、遊技球案内ユニット７０の球排出通路７１下流側には、下皿１６に排出された遊技球が一杯（満タン）になったことを検知する下皿満タンスイッチが取り付けられている。
【００８５】
樹脂ベース２５には、窓孔２６の右下部に略四角形状の小窓７８が設けられている。従って、遊技盤３０の右下隅部スペース（図４のＳａ）に貼られた証紙等は、この小窓７８を通じて視認できるようになっている。この小窓７８から遊技盤３０上に証紙等を直接貼り付けることも可能である。
【００８６】
樹脂ベース２５には、窓孔２６の左上部にも小窓７９が設けられている。この小窓７９は、図４で説明した遊技盤３０の中継端子孔５９に対応する位置にそれとほぼ同一の形状で設けられ、中継端子孔５９及び小窓７９を通じて、遊技盤裏面に設置した中継端子板の接続コネクタ６０が本体枠１２の前面側に露出される。かかる構成において、前扉枠１３側に設けた各種ランプに対しては、本体枠１２（樹脂ベース２５）の小窓７９より露出した接続コネクタ６０を介して電気的な接続がなされている。樹脂ベース２５の上部には、前扉枠１３の開放の状態を検出するための前扉枠開放スイッチ２７が設けられている。前扉枠開放スイッチ２７は、樹脂ベース２５の前面に出没可能なピンを有しており、本体枠１２に対して前扉枠１３を閉じた状態ではピンが押し込まれて前扉枠１３の閉鎖が検知され、本体枠１２に対して前扉枠１３を開いた状態ではピンが突出位置に戻って前扉枠１３の開放が検知されるようになっている。樹脂ベース２５の左右２カ所には、本体枠１２に対して前扉枠１３を閉じた際に前扉枠１３背面の金具類（図５に示す補強板１３１〜１３４）に接触し、且つその金具類を本体枠１２側に導通させてアース（接地）するための金属片２８ａ，２８ｂが取り付けられている。従って、金属片２８ａ，２８ｂを通じて、前扉枠１３背面の金具類が本体枠１２側の施錠装置やヒンジ金具に導通され、これら施錠装置やヒンジ金具と共にアースされる。
【００８７】
本体枠１２の左端側（開閉軸線側）には、前扉枠１３を開閉可能に支持するための支持機構として、上下一対の支持金具８１，８２が取り付けられている。上側の支持金具８１には手前側に切欠を有する支持孔８３が設けられ、下側の支持金具８２には上方へ突出する突起軸８４が設けられている。なお、支持金具８１，８２に支持される前扉枠１３の具体的構成については後述する。また、本体枠１２の右端側（開閉軸線とは反対側）には、前扉枠１３裏面側の開放端側に設けた上下一対の鉤金具１５５，１５６（図２参照）を挿入するための挿入孔８７，８８がそれぞれ設けられている。本パチンコ機１０では、本体枠１２や前扉枠１３を施錠状態とするための施錠装置が本体枠１２の裏面側に隠れて配置される構成となっている。従って、鉤金具１５５，１５６が挿入孔８７，８８を介して施錠装置に係止されることによって、前扉枠１３が本体枠１２に対して開放不能に施錠される。
【００８８】
本体枠１２の右下隅部には、外枠１１に対する本体枠１２の施錠及び解錠、並びに本体枠１２に対する前扉枠１３の施錠及び解錠を行うための鍵部材としてのシリンダ錠９１が設置されている。シリンダ錠９１は施錠装置に一体化されており、施錠装置のうちシリンダ錠９１だけが本体枠１２の前方に突出した状態で設けられている。この場合、シリンダ錠９１は、遊技領域の最大幅となる位置とは異なる位置に設けられている。シリンダ錠９１は、本体枠１２の施解錠と前扉枠１３の施解錠とを共に賄う機能を有しており、鍵穴に差し込んだキーを左（反時計回り方向）に回すと本体枠１２の施錠が解かれ、逆にキーを右（時計回り方向）に回すと前扉枠１３の施錠が解かれるようになっている。
【００８９】
図２に示すように、本体枠１２には、シリンダ錠９１を囲むようにして縦長状のカバー部材９２が取り付けられている。詳細な図示は省略するが、カバー部材９２には、その上端部及び下端部に係止部（フック）が形成されている。従って、上側の係止部を本体枠１２側に係止させると共に、下側の係止部を本体枠１２と前面板１４との間に挟み込むことにより、カバー部材９２が本体枠１２に取り付けられる。前扉枠１３には、カバー部材９２の形状に合わせて切欠部１４５が形成されており、前扉枠１３を閉鎖した状態ではこの前扉枠１３と共にカバー部材９２がパチンコ機前面部を構成する。なお、前扉枠１３を閉鎖したとき、カバー部材９２に形成された鍔部が前扉枠１３により押さえられ、カバー部材９２のがたつきが防止されるようになっている。
【００９０】
次に、前扉枠１３について図１，図５を参照しつつ説明する。なお、図５は、前扉枠１３の背面図である。
【００９１】
前扉枠１３には遊技領域のほぼ全域を前方から視認することができるようにした視認窓としての窓部１０１が形成されている。窓部１０１は、円形に近い略楕円形状をなし、より詳しくは、その左右側の略中央部が上下側に比べて緩やかに湾曲した形状となっている。なお、前記略中央部が直線状になる形状であってもよい。前扉枠１３の窓部１０１上方において、最も狭い部位のフレーム幅は約６１ｍｍである。本実施の形態における上記フレーム幅寸法は、本体枠１２において外レール部５２の最上部（遊技領域の上端）と本体枠１２の上端との間の距離とほぼ一致するものであって、８５ｍｍ〜９５ｍｍ程度の上記フレーム幅を有する従来機種に比べて著しく短くなっている。これにより、遊技領域における上部領域の視認性が確保されやすくなると共に、大型の可変表示ユニット３５も比較的上方に配置することができるようになっている。窓部１０１上方のフレーム幅（最狭部位）の寸法は８０ｍｍ以下であることが望ましく、より望ましくは７０ｍｍ以下であり、さらに望ましくは６０ｍｍ以下である。もちろん、所定の強度が確保できるのであれば、５０ｍｍ以下としても差し支えない。
【００９２】
前扉枠１３の左右のフレーム部分は、フレーム幅を小さくするには制約があり、前扉枠１３自体の強度及びガラス支持強度を確保するのに十分な幅寸法を必要とする。本実施の形態では、左右の各フレーム部分において最も狭い部位のフレーム幅を何れも約４４ｍｍとしている。この場合、本パチンコ機１０にあっては遊技領域を大幅に拡張したことから、パチンコ機１０の正面から見て左側すなわち開閉軸線側では、前扉枠１３のフレーム幅が上記の通り約４４ｍｍとなるのに対し、レールユニット５０の外レール部５２の左端位置と本体枠１２の左端位置との距離が約２１ｍｍとなり、後者の寸法がかなり小さいものとなっている。つまり本構成では、前扉枠１３を閉鎖した状態において、球案内通路の一部が、前扉枠１３の左側フレーム部分と重複し覆い隠されるようになる。しかしながら、球案内通路において遊技球が一時的に視認困難となったとしても、かかる球案内通路は遊技球が遊技領域に案内されるまでの通過領域に過ぎず、遊技者が主として遊技を楽しむ遊技領域において遊技球が視認困難となるわけではない。そのため、実際の遊技に際しては何ら支障が生じない。以上により、前扉枠１３の十分な強度及びガラス支持強度を確保しつつも、遊技に何ら支障を及ぼすことなく遊技領域の拡張が可能となる。
【００９３】
前扉枠１３の下端部における左右両側には、本体枠１２表面や遊技盤３０表面等（証紙等を含む）の一部を視認できるよう透明樹脂を取り付けた小窓１０７が設けられている。小窓１０７に取り付けられる透明樹脂は、その内部の証紙等を工場等で容易に機械読み取りできるよう平坦状に構成される。但し、小窓１０７に、内部の証紙等をホール作業者等が容易に目視できるよう拡大レンズ部を設けることも可能である。
【００９４】
前扉枠１３にはその周囲（例えばコーナー部分）に各種ランプ等の発光手段が設けられている。これら発光手段は、特別装置作動時や所定の演出時等における遊技状態の変化に応じて点灯、点滅のように発光態様が変更制御されることにより、遊技中の演出効果を高める役割を果たす。例えば、窓部１０１の周縁に沿ってＬＥＤ等の発光手段を内蔵した環状電飾部１０２が左右対称に設けられ、環状電飾部１０２の中央であってパチンコ機１０の最上部にはＬＥＤ等の発光手段を内蔵した中央電飾部１０３が設けられている。本パチンコ機１０では、中央電飾部１０３が特別装置作動ランプとして機能し、特別装置作動時に点灯や点滅を行うことにより特別装置作動中であることを報知する。
また、上皿２３周りにも、同じくＬＥＤ等の発光手段を内蔵した上皿電飾部１０４が設けられている。その他、中央電飾部１０３の左右側方には、賞球払出中に点灯する賞球ランプ１０５と所定のエラー時に点灯するエラー表示ランプ１０６とがそれぞれ設けられている。なお、環状電飾部１０２は、内外二重の樹脂カバー層とその内側に収容された発射板付き発光体（ＬＥＤ）とよりなり、樹脂カバー層の各々の内側面には各層で縦横に交差する向きに突条（又は波状の突起）が設けられている。外側の樹脂カバー層は透明であり、内側の樹脂カバー層は有色である。従って、環状電飾部１０２を発光させれば、多数に分散化された状態、又は立体感を伴った状態の電飾が実現できるようになる。樹脂カバー層には、ガラス粉末入りの樹脂材料を用いると良い。このような樹脂カバー層の構成は、他の電飾部（例えば中央電飾部１０３や賞球ランプ１０５）に適用することもできる。
【００９５】
前扉枠１３には、窓部１０１の下方位置に、貸球操作部１２０が配設されている。貸球操作部１２０には球貸しボタン１２１と、返却ボタン１２２と、度数表示部１２３とが設けられている。パチンコ機１０の側方に配置されたカードユニット（球貸しユニット）に紙幣やカード等を投入した状態で、貸球操作部１２０によって球貸し操作、カード返却操作及びカード度数の確認を行うことができる。すなわち、球貸しボタン１２１は、カード等（記録媒体）に記録された情報に基づいて貸出球を得るために操作されるものであり、カード等に残額が存在する限りにおいて貸出球が払い出される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機（いわゆる現金機）では貸球操作部１２０が不要となるが、かかる場合には、貸球操作部１２０の設置部分に飾りシール等が付されるようになっている。これにより、貸球操作部１２０を設けた本パチンコ機１０の構成において、カードユニットを用いたパチンコ機（いわゆるＣＲ機）と現金機との共用が可能となる。
【００９６】
前扉枠１３の裏側には、窓部１０１を囲むようにして金属製の各種補強部材が設けられている。詳しくは、図５に示すように、前扉枠１３の裏側にあって窓部１０１の左右及び上下の外側にはそれぞれ補強板１３１，１３２，１３３，１３４が取り付けられている。これら補強板１３１〜１３４は相互に接触して連結されているが、図の左側及び上側の補強板１３２，１３３の連結部には直接の接触を避けるための樹脂パーツ１３５が介在されている。これにより、補強板１３１〜１３４による電気経路の閉じたループが切断され、ノイズの原因となる磁界の発生等が防止されている。
【００９７】
図５の右側となる開閉軸線側の補強板１３１にはその上端部及び下端部に、本体枠１２に対する組付機構として、組付金具１５１，１５２が取り付けられている。そして、本体枠１２側の支持金具８１，８２（図３参照）に対して前扉枠１３側の組付金具１５１，１５２が取り付けられている。すなわち、下側の組付金具１５２には下面に開口する軸穴が形成されており、その軸穴に下側の支持金具８２の突起軸８４が挿入される一方、上側の組付金具１５１の軸部が上側の支持金具８１の支持孔８３に挿入されることにより、本体枠１２に対して前扉枠１３が開閉可能に支持されている。また、同補強板１３１にはその中間位置にフック状をなす係合爪１３１ａが設けられており、この係合爪１３１ａは、前扉枠１３を閉じた状態で本体枠１２の孔部１２ａ（図３参照）に挿入されるように構成されている。これにより、上皿２３を含む形態で前扉枠１３を構成し、その上下の軸支間隔を長くした本パチンコ機１０においても、中間位置における前扉枠１３の浮き上がりが防止できる。それ故、前扉枠１３を浮かしての不正行為等が抑制されるようになっている。
【００９８】
図５の左側となる開閉軸線とは反対側の補強板１３２には鉤形状をなす上下一対の鉤金具１５５，１５６が取り付けられている。これら鉤金具１５５，１５６は、後方に延び、本体枠１２に設けた挿入孔８７，８８（図３参照）に対応するようにして設けられている。本体枠１２に対して前扉枠１３を閉鎖した際、鉤金具１５５，１５６が本体枠１２側の挿入孔８７，８８に挿入されて施錠装置により施錠状態とされるようになっている。
【００９９】
下側の補強板１３４には、前記発射レール６１に対向する位置に樹脂ケース１３６が取り付けられている。樹脂ケース１３６には、前記貸球操作部１２０用の回路基板が収容されている。樹脂ケース１３６の背面（図５に見える面）は平坦状をなし、前扉枠１３を閉じた際に発射レール６１の側壁を構成するようになっている。故に、発射レール６１から遊技球が前方にこぼれ落ちることが防止される。
【０１００】
下側の補強板１３４の一部を切り欠いた部位には、パチンコ機１０後方に向けて球通路樋１３８が設置されており、球通路樋１３８の少なくとも上方には、同じくパチンコ機１０後方に向けて延びる庇（ひさし）部１３９が設けられている。この場合、本体枠１２側に前扉枠１３を閉じた状態では、球通路樋１３８と庇部１３９との間に、本体枠１２側の連通口７２上辺に沿って延びる突条が入り込むようにして配置される。故に、球通路樋１３８より針金やフィルム等を侵入させて不正行為を行おうとしても、遊技領域にまで針金やフィルム等を侵入させることが非常に困難となる。結果として、針金やフィルム等を利用して行われる不正行為を防止することができる。
【０１０１】
上述した補強板１３１〜１３４はガラス支持用の金枠としての機能も兼ね備えており、これら補強板１３１〜１３４の内側が後方に折り返されてガラス保持溝が形成されている。ガラス保持溝は前後に２列形成されており、矩形状をなす前後一対のガラス１３７が各ガラス保持溝にて保持される。これにより、２枚のガラス１３７が前後に所定間隔を隔てて取着されている。
【０１０２】
前述した通り本実施の形態のパチンコ機１０では遊技領域の拡張を図っていることから、前扉枠１３を閉じた状態にあっては、内外のレール部５１，５２間に形成された球案内通路の一部が前扉枠１３により覆い隠される構成となっている。それ故、球案内通路では手前側の開放部がガラス１３７で覆えない部分ができてしまう。かかる場合、例えば、遊技球発射装置より発射された遊技球が戻り球防止部材５４まで至らず戻ってくると、遊技球が球案内通路外に飛び出したり、外レール部５２とガラス１３７との間にできる隙間に挟まってしまうおそれがある。そこで本実施の形態では、前扉枠１３に、球案内通路の手前側開放部を被覆するためのレールカバー１４０を取り付けている。レールカバー１４０は略円弧状をなす板体であって、透明な樹脂により形成されている。レールカバー１４０は、その円弧形状が前記球案内通路の形状に対応しており、窓部１０１の周縁部に沿って、球案内通路の基端部から先端部近傍までの区間を覆うようになっている。特にレールカバー１４０の内径側の寸法・形状は内レール部５１のそれにほぼ一致する。また、レールカバー１４０の右端部（すなわち、レールカバー１４０を前扉枠１３に取着した図５の状態で右端となる部位）には、球案内通路がガラス１３７の側縁部からはみ出した部分を被覆するための被覆部１４１が設けられている。以上のレールカバー１４０の構成により、前扉枠１３が閉じられた状態においては、レールカバー１４０の裏面が球案内通路のほぼ全域を覆うこととなって、遊技球が球案内通路外に飛び出したり、外レール部５２とガラス１３７との間にできる隙間に挟まってしまうといった不具合の発生を防止することができる。
【０１０３】
また、レールカバー１４０の下部裏側には、その内側縁に沿って円弧状に延び且つ後方へ向けて突出する突条１４２が形成されている。突条１４２は、前扉枠１３が閉じられた状態において、球案内通路内に入り込んだ状態で内レール部５１に重なり合うように配置される。従って、例えば前扉枠１３と本体枠１２との隙間から針金やフィルム等を侵入させて不正行為を行おうとしても、球案内通路の内側にある遊技領域にまで針金やフィルム等を侵入させることが非常に困難となる。その結果、針金やフィルム等を利用して行われる不正行為を防止することができる。なお、突条１４２をより広い範囲で、例えばレールカバー１４０の内側縁の全域に沿って形成する構成としても良く、かかる構成によれば、より広い範囲で針金やフィルム等を侵入させにくくなり、針金やフィルム等を利用して行われる不正行為をより確実に防止することができる。
【０１０４】
次に、パチンコ機１０の背面の構成を説明する。なお、図６はパチンコ機１０の背面図、図７はパチンコ機１０の背面構成を主要部品毎に分解して示す分解斜視図である。
【０１０５】
まず、パチンコ機１０の背面構成について全体の概要を説明する。パチンコ機１０の背面側には、各種制御装置（各種制御基板）が上下左右に並べられるようにして又は前後に重ねられるようにして配置されるとともに、遊技球を供給するための遊技球供給装置（払出機構）や樹脂製の保護カバー等が取り付けられている。本実施の形態では、各種制御装置を２つの取付台に分けて搭載して２つの制御基板ユニットを構成し、それら制御基板ユニットを個別に本体枠１２又は遊技盤３０の裏面に装着するようにしている。この場合、主制御装置２７１（主基板）と音声ランプ制御装置２７２（音声ランプ制御基板）とを一方の取付台に搭載してユニット化すると共に、払出制御装置３１１（払出制御基板）、発射制御装置３１２（発射制御基板）及び電源装置３１３（電源基板）を他方の取付台に搭載してユニット化している。以下においては、便宜上、前者のユニットを「第１制御基板ユニット２０１」と称し、後者のユニットを「第２制御基板ユニット２０２」と称することとする。また、払出機構及び保護カバーも１ユニットとして一体化され、一般に樹脂部分を裏パックと称することもあるため、ここではそのユニットを「裏パックユニット２０３」と称する。各ユニット２０１〜２０３の詳細な構成については後述する。
【０１０６】
第１制御基板ユニット２０１、第２制御基板ユニット２０２及び裏パックユニット２０３は、ユニット単位で何ら工具等を用いずに着脱できるよう構成されるとともに、一部に支軸部を設けて本体枠１２又は遊技盤３０の裏面に対して展開できる構成となっている。これは、各ユニット２０１〜２０３やその他構成が前後に重ねて配置された場合に隠れた部位を容易に確認することを可能とするための工夫でもある。実際には、図８の概略図に示すように、略Ｌ字状をなす第１制御基板ユニット２０１はパチンコ機１０のほぼ中央に配置され、その下方に第２制御基板ユニット２０２が配置されている。また、第１制御基板ユニット２０１に一部重複する領域に、裏パックユニット２０３が配置されている。
【０１０７】
第１制御基板ユニット２０１にはパチンコ機１０の背面から見て左端部に支軸部Ｍ１が設けられ、その支軸部Ｍ１による軸線Ａを中心に第１制御基板ユニット２０１が回動可能となっている。また、第１制御基板ユニット２０１には、その右端部すなわち支軸部Ｍ１の反対側となる開放端側に、ナイラッチ（登録商標）等よりなる締結部Ｍ２が設けられると共に上端部に係止爪部Ｍ３が設けられており、これら締結部Ｍ２及び係止爪部Ｍ３によって第１制御基板ユニット２０１がパチンコ機１０本体の裏面に沿った状態に保持されるようになっている。また、第２制御基板ユニット２０２にはパチンコ機１０の背面から見て右端部に支軸部Ｍ４が設けられ、その支軸部Ｍ４による軸線Ｂを中心に第２制御基板ユニット２０２が回動可能となっている。また、第２制御基板ユニット２０２には、その左端部すなわち支軸部Ｍ４の反対側となる開放端側に、ナイラッチ等よりなる締結部Ｍ５が設けられており、この締結部Ｍ５によって第２制御基板ユニット２０２がパチンコ機１０本体の裏面に沿った状態に保持されるようになっている。さらに、裏パックユニット２０３にはパチンコ機１０の背面から見て右端部に支軸部Ｍ６が設けられ、その支軸部Ｍ６による軸線Ｃを中心に裏パックユニット２０３が回動可能となっている。また、裏パックユニット２０３には、その左端部すなわち支軸部Ｍ６の反対側となる開放端側にナイラッチ等よりなる締結部Ｍ７が設けられるとともに、上端部及び下端部にそれぞれ回動式の係止部Ｍ８，Ｍ９が設けられており、これら締結部Ｍ７及び係止部Ｍ８，Ｍ９によって裏パックユニット２０３がパチンコ機１０本体の裏面に沿った状態に保持されるようになっている。
【０１０８】
各ユニット２０１〜２０３を回動可能に支持する支軸部Ｍ１，Ｍ４，Ｍ６は、各ユニット２０１〜２０３をパチンコ機１０の裏面から開いた状態で容易に取り外し可能なヒンジ構造となっている。簡単に説明すると、第１制御基板ユニット２０１については、締結部Ｍ２の締結及び係止爪部Ｍ３の係止を解除すると共に、当該ユニット２０１を軸線Ａを中心に回動させて展開し、その状態で持ち上げる。これにより、裏パックユニット２０３がない前提であれば、第１制御基板ユニット２０１を取り外すことができる。また、第２制御基板ユニット２０２については、締結部Ｍ５の締結を解除すると共に、当該ユニット２０２を軸線Ｂを中心に回動させて展開し、その状態で持ち上げる。これにより、第２制御基板ユニット２０２を取り外すことができる。さらに、裏パックユニット２０３については、締結部Ｍ７の締結及び係止部Ｍ８，Ｍ９の係止を解除すると共に、当該ユニット２０３を軸線Ｃを中心に回動させて展開し、その状態で持ち上げる。これにより、裏パックユニット２０３を取り外すことができる。
【０１０９】
ここで、各ユニット２０１〜２０３の展開方向は同一でなく、第１制御基板ユニット２０１は、パチンコ機１０の背面から見て左開きになるのに対し、第２制御基板ユニット２０２及び裏パックユニット２０３は、同右開きになるよう構成されている。この場合、第１制御基板ユニット２０１は、裏パックユニット２０３に一部重複して設けられるため、裏パックユニット２０３を開かないことには第１制御基板ユニット２０１を取り外すことが不可能であり、さらに言うと、第１制御基板ユニット２０１及び裏パックユニット２０３が各々逆方向に展開する構成であるため、裏パックユニット２０３を所定角度以上に大きく開いた状態又は同ユニット２０３を取り外した状態でなければ第１制御基板ユニット２０１を取り外すことが不可能である。従って、第１制御基板ユニット２０１を取り外すことに着目すると、他のユニット２０２，２０３に比べて取り外しが困難な構成となっている。さらに、施錠装置をキー操作して外枠１１に対して本体枠１２を開放しなければ、裏パックユニット２０３を開くことができない構成となっているため、より一層第１制御基板ユニット２０１の取り外しが困難なものとなっている。より具体的な構成については後述する。
【０１１０】
次に、本体枠１２の裏面構成を図９に基づいて説明する。図９は本体枠１２を後方より見た斜視図である。
【０１１１】
本体枠１２の裏面には、第２制御基板ユニット２０２や裏パックユニット２０３を取り付けるための取付機構が設けられている。具体的には、本体枠１２にはその右端部に長尺状の軸受け金具２３５が取り付けられている。軸受け金具２３５は、長尺板状の金具本体２３６を有し、その金具本体２３６の下部には第２制御基板ユニット２０２用の軸受け部２３７が形成されると共に、上部には裏パックユニット２０３用の軸受け部２３８が形成されている。その他、第２制御基板ユニット２０２用の取付機構として、本体枠１２には、遊技盤３０設置領域よりも下方左端部に上下一対の被締結孔（具体的には、ナイラッチの取付孔）２３９が設けられている。また、裏パックユニット２０３用の取付機構として、本体枠１２には、遊技盤３０設置領域の左端部に上下一対の被締結孔（具体的には、ナイラッチの取付孔）２４０が設けられている。なお、第１制御基板ユニット２０１を取り付けるための取付機構は、本体枠１２に取り付けられる遊技盤３０の裏面に設けられるが、ここでは図示を省略する。図中の符号２４１，２４２，２４３は、本体枠１２に遊技盤３０を取り付けた状態で遊技盤３０との間に裏パックユニット２０３を挟み込んで支持するための回動式の固定具である。符号２１１，２１２は、遊技盤３０が後方へ脱落しないように固定するための係止固定具である。
【０１１２】
上記の如く本体枠１２の左右一側部（図９では右側部）には長尺状の軸受け金具２３５が設けられる一方、本体枠１２の左右他側部（図９では左側部）には施錠装置が設けられている。施錠装置は、上下方向に延び本体枠１２に固定された基枠２４７と、その基枠２４７に対して上下方向に移動可能に組み付けられた長尺状の連動杆２４８とを備え、基枠２４７の下部に前記シリンダ錠９１が一体化されている。連動杆２４８は、シリンダ錠９１の操作により上下いずれかの方向に移動する。連動杆２４８には、鉤形状をなす上下一対の鉤金具２４９が設けられており、外枠１１に対して本体枠１２を閉鎖した際には、鉤金具２４９が外枠１１側の支持金具（図示略）に係止され、施錠装置により施錠状態とされるようになっている。この場合、シリンダ錠９１の操作によって連動杆２４８が上方向に移動すると、外枠１１に対する本体枠１２の施錠が解除される。逆に、シリンダ錠９１の操作によって連動杆２４８が下方向に移動すると、本体枠１２に対する前扉枠１３の施錠が解除される。
【０１１３】
本体枠１２の左右側部に軸受け金具２３５と施錠装置（基枠２４７、連動杆２４８等）とが振り分けられる上記構成において、これら軸受け金具２３５及び施錠装置（基枠２４７、連動杆２４８等）を配置するための領域を残した幅となるようにして、本体枠１２に前記遊技盤３０が取り付けられる。これによっても遊技領域の拡張が図られていることは前述した通りである。
【０１１４】
本体枠１２の背面右下部には、後述する払出機構より払い出される遊技球を上皿２３、下皿１６又は排出通路２１８の何れかに振り分けるための遊技球分配部２４５が設けられている。遊技球分配部２４５は、左側の開口部２４５ａが第１排出口６６を介して上皿２３に通じ、中央の開口部２４５ｂが第２排出口６７を介して下皿１６に通じ、右側の開口部２４５ｃが排出通路２１８に通じるように、各通路が形成されている。遊技球分配部２４５は、本体枠１２に対してネジ等により強固に取り付けられている。従って、遊技球分配部２４５の設置部位における浮き上がりが防止され、隙間から針金やフィルム等を侵入させることによる不正行為が防止できるようになっている。なお、本体枠１２の下端部には、奥壁パネル１７の裏側に設置されたスピーカ２０の背後を囲むための合成樹脂製のスピーカボックス２４６が取り付けられており、スピーカボックス２４６がスピーカ音を後方へ逃さないように機能することで低音域の音質改善が図られている。本体枠１２裏側の左下部には、打球槌等を備えるセットハンドル２２８及び発射モータ２２９が設けられている。
【０１１５】
遊技盤３０の裏面構成に関しては図示を省略するが、遊技盤３０の中央部に配設される図柄表示装置４１にはその背後に表示制御手段としての表示制御装置２１４（図７参照）が重ねられた状態で着脱可能に取り付けられている。また、遊技盤３０の裏面に設けられている集合板ユニットには、各種入賞口に入賞した遊技球を回収するための遊技球回収機構や、各種入賞口等への遊技球の入賞を検知するための入賞検知機構などが設けられている。
【０１１６】
次に、第１制御基板ユニット２０１の構成を図１０〜図１３に基づいて説明する。図１０は第１制御基板ユニット２０１の正面図、図１１は同ユニット２０１の斜視図、図１２は同ユニット２０１の分解斜視図、図１３は同ユニット２０１を裏面から見た分解斜視図である。
【０１１７】
第１制御基板ユニット２０１は略Ｌ字状をなす取付台２５１を有し、取付台２５１に主制御装置２７１と音声ランプ制御装置２７２とが搭載されている。主制御装置２７１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、主基板が透明樹脂材料等よりなる被包手段としての基板ボックス２７３に収容されて構成されている。なお、基板ボックス２７３は、略直方体形状のボックスベースと該ボックスベースの開口部を覆うボックスカバーとを備えている。これらボックスベースとボックスカバーとは封印手段としての封印ユニット２７４によって開封不能に連結され、これにより基板ボックス２７３が封印されている。
【０１１８】
封印ユニット２７４はボックスベースとボックスカバーとを開封不能に連結する構成であれば任意の構成が適用できるが、ここでは図１１等に示すように、５つの封印部材が連結された構成となっており、この封印部材の長孔に係止爪を挿入することでボックスベースとボックスカバーとが開封不能に連結されるようになっている。封印ユニット２７４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、封印ユニット２７４を構成する５つの封印部材のうち、少なくとも一つの封印部材の長孔に係止爪を挿入することにより封印処理が行われる。そして、収容した主基板の不具合発生の際や主基板の検査の際など基板ボックス２７３を開封する場合には、係止爪が挿入された封印部材と他の封印部材との連結を切断する。その後、再度封印処理する場合は他の封印部材の長孔に係止爪を挿入する。基板ボックス２７３の開封を行った旨の履歴を当該基板ボックス２７３に残しておけば、基板ボックス２７３を見ることで不正な開封が行われた旨が容易に発見できる。
【０１１９】
音声ランプ制御装置２７２は、例えば主制御装置２７１又は表示制御装置２１４からの指示に従い音声やランプ表示の制御を司るＣＰＵや、その他ＲＯＭ、ＲＡＭ、各種ポート等を含む音声ランプ制御基板を具備しており、音声ランプ制御基板が透明樹脂材料等よりなる基板ボックス２７５に収容されて構成されている。音声ランプ制御装置２７２上には電源中継基板２７６が搭載されており、電源装置３１３の電源が電源中継基板２７６を介して表示制御装置２１４及び音声ランプ制御装置２７２に供給されるようになっている。
【０１２０】
取付台２５１は、ポリカーボネート樹脂等の合成樹脂製であり、例えば緑や青等に着色されて不透明とされている。但し、取付台２５１は無色透明又は半透明であってもよい。取付台２５１の表面には平坦状をなす２つの基板搭載面２５２，２５３が設けられている。これら基板搭載面２５２，２５３は縦横に直交する向きに延び、前後方向に段差をもって形成されている。基板搭載面２５２の上縁部及び下縁部にはそれぞれ、基板搭載面２５２より起立した起立部２５４が一体成形されている。そして、横長の基板搭載面２５２上に主制御装置２７１が配置されると共に、縦長の基板搭載面２５３上に音声ランプ制御装置２７２が配置される。このとき、主制御装置２７１は、上下の側部が起立部２５４にて支えられる。また、音声ランプ制御装置１７２は、複数箇所でネジ等により基板搭載面２５３に固定される。
【０１２１】
ここで、図１２及び図１３に示すように、基板搭載面２５２には、左右２カ所に横長形状の貫通孔２５６が形成されている。一方、主制御装置２７１の基板ボックス２７３には、その裏面の左右２カ所に回動操作式の固定具２７７が設けられている。主制御装置２７１を基板搭載面２５２に搭載する際には、基板搭載面２５２の貫通孔２５６に固定具２７７が挿通されるように主制御装置２７１を載置し、その状態で固定具２７７を回動操作することで主制御装置２７１がロックされる。従って、主制御装置２７１は第１制御基板ユニット２０１の裏面側から固定具２７７をロック解除しなければ取り外しできないため、基板取り外し等の不正行為に対して抑止効果が得られる。
【０１２２】
また、取付台２５１において、主基板用の基板搭載面２５２の下方には、基板搭載面２５２の裏面空間に通じる開口を遮蔽するための遮蔽部２５７が設けられている。従って、基板搭載面２５２の下方より取付台２５１の裏面に手などを差し入れることが阻止され、固定具２７７のロック状態を不正に解除することができないようになっている。また、第１制御基板ユニット２０１をパチンコ機１０裏面に搭載した状態では、当該ユニット２０１の上部が裏パックユニット２０３により覆われるため、やはり取付台２５１の裏面に手などを差し入れることが阻止され、固定具２７７のロック状態を不正に解除することができないようになっている。
【０１２３】
前述した通り、第１制御基板ユニット２０１は、裏パックユニット２０３を所定角度以上に大きく開いた状態又は同ユニット２０３を取り外した状態でなければ取り外すことが不可能であり、また、施錠装置を正しくキー操作して外枠１１に対して本体枠１２を開放しなければ、裏パックユニット２０３を開くことができない構成となっている。つまり、本体枠１２を開くことができなければ、結果的に第１制御基板ユニット２０１を回動させたり取り外すことができず、ひいては主制御装置２７１の取り外しも不可能となる。それ故、主制御装置２７１の不正な載せ替えや盗難等を効果的に防止することができる。
【０１２４】
主制御装置２７１は、パチンコ機１０裏面から見て手前側に配置され、音声ランプ制御装置２７２はその奥側に配置される。この場合、基板搭載面２５２，２５３が前後方向に段差をもって形成されているため、これら基板搭載面２５２，２５３に主制御装置２７１及び音声ランプ制御装置２７２を搭載した状態において各制御装置２７１，２７２はその一部を前後に重ねて配置される。つまり、図１１等にも見られるように、主制御装置２７１はその一部（本実施の形態では１／３程度）が浮いた状態で配置される。故に、主制御装置２７１に重なる領域まで音声ランプ制御装置２７２を拡張することが可能となり、また別の見方をすれば音声ランプ制御装置２７２に重なる領域まで主制御装置２７１を拡張することが可能となり、パチンコ機１０という限られた大きさの中にあっても、各制御基板２７１，２７２の大型化に良好に対処できるとともに、各制御装置２７１，２７２を効率良く設置できる。また、第１制御基板ユニット２０１を遊技盤３０に装着した状態では、基板搭載面２５２の後方にスペースが確保され、可変入賞装置３２やその電気配線等が無理なく設置できるようになっている。なお、基板搭載面２５２の裏面には格子状のリブ２５８が設けられており、主制御装置２７１の支持強度が高められている。
【０１２５】
取付台２５１の左端面には上下一対の掛止ピン２６１が設けられており、この掛止ピン２６１を遊技盤３０側に設けられた軸受け金具に取り付けることで、第１制御基板ユニット２０１が遊技盤３０に対して回動可能に片持ち支持される。また、取付台２５１の右端部には、遊技盤３０側に設けられた被締結孔にはめ込まれる締結具として上下一対のナイラッチ２６２が設けられ、上端部には、遊技盤３０側に設けられた係止爪片が係止される長孔２６３が設けられている。従って、ナイラッチ２６２を被締結孔にはめ込むと共に、長孔２６３に係止爪片を係止させることで、第１制御基板ユニット２０１が遊技盤３０に固定される。なお、遊技盤３０側の軸受け金具及び掛止ピン２６１が前記支軸部Ｍ１に、同遊技盤３０側の被締結孔及びナイラッチ２６２が前記締結部Ｍ２に、同遊技盤３０側の係止爪片及び長孔２６３が前記係止爪部Ｍ３に、それぞれ相当する。
【０１２６】
次に、第２制御基板ユニット２０２の構成を図１４〜図１６に基づいて説明する。図１４は第２制御基板ユニット２０２の正面図、図１５は同ユニット２０２の斜視図、図１６は同ユニット２０２の分解斜視図である。
【０１２７】
第２制御基板ユニット２０２は横長形状をなす取付台３０１を有し、取付台３０１に払出制御装置３１１、発射制御装置３１２、電源装置３１３及びカードユニット接続基板３１４が搭載されている。払出制御装置３１１及び発射制御装置３１２は制御の中枢をなすＣＰＵや、その他ＲＯＭ、ＲＡＭ、各種ポート等を含む制御基板を具備している。払出制御装置３１１の払出制御基板により、賞品球や貸出球の払出が制御される。発射制御装置３１２の発射制御基板により、遊技者による遊技球発射ハンドル１８の操作に従い発射モータ２２９の制御が行われる。また、電源装置３１３の電源基板により、各種制御装置等で要する所定の電源電圧が生成され出力される。カードユニット接続基板３１４は、パチンコ機前面の貸球操作部１２０及び図示しないカードユニットに電気的に接続され、主として遊技者による球貸し操作の指令を取り込んでそれを払出制御装置３１１に出力するものである。なお、カードユニットを介さずに球貸し装置等から上皿に遊技球が直接貸し出される現金機では、カードユニット接続基板３１４は不要である。
【０１２８】
上記払出制御装置３１１、発射制御装置３１２、電源装置３１３及びカードユニット接続基板３１４は、透明樹脂材料等よりなる基板ボックス３１５，３１６，３１７，３１８にそれぞれ収容されて構成されている。特に、払出制御装置３１１では、主制御装置２７１と同様、被包手段を構成する基板ボックス３１５がボックスベースとボックスカバーとを備え、それらが封印手段としての封印ユニット３１９によって開封不能に連結され、これにより基板ボックス３１５が封印されている。払出制御装置３１１には状態復帰スイッチ３２１が設けられている。例えば、後述する払出モータの球詰まり等、払出エラーの発生時において状態復帰スイッチ３２１が押されると、払出モータが正逆回転され、球詰まりの解消（正常状態への復帰）が図られるようになっている。電源装置３１３にはＲＡＭ消去スイッチ３２３が設けられている。本パチンコ機１０は各種データのバックアップ機能を有しており、万一停電が発生した際でも停電時の状態を保持し、停電からの復帰（復電）の際には停電時の状態に復帰できるようになっている。従って、例えば遊技ホールの営業終了の場合のように通常手順で電源を遮断すると遮断前の状態が記憶保持されるが、ＲＡＭ消去スイッチ３２３を押しながら電源を投入すると、ＲＡＭデータが初期化されるようになっている。
【０１２９】
取付台３０１は例えば無色透明な樹脂成型品よりなり、その表面に平坦状をなす基板搭載面３０２が設けられている。基板搭載面３０２には、発射制御装置３１２、電源装置３１３及びカードユニット接続基板３１４が横並びとなった状態で搭載され、ネジ等で固定されている。電源装置３１３の基板ボックス３１７上には略平板状の台座プレート３０３が載置されるとともに台座プレート３０３上に払出制御装置３１１が搭載され、ネジ等で固定されている。払出制御装置３１１と電源装置３１３との間には台座プレート３０３が介在するため、例えばノイズ除去用の金属プレート等を設置するには台座プレート３０３に金属プレート等を取り付ければ良く、ノイズ対策が簡単に実現できる。
【０１３０】
取付台３０１には、パチンコ機１０後方からみて右端部に上下一対の掛止ピン３０５が設けられており、掛止ピン３０５を前記軸受け部２３７に上方から挿通させることで、第２制御基板ユニット２０２が本体枠１２に対して回動可能に片持ち支持される。取付台３０１の左端部には締結具として上下一対のナイラッチ３０６が設けられており、ナイラッチ３０６を前記被締結孔２３９にはめ込むことで、第２制御基板ユニット２０２が本体枠１２に固定される。なお、軸受け部２３７及び掛止ピン３０５が前記支軸部Ｍ４に、被締結孔２３９及びナイラッチ３０６が前記締結部Ｍ５に、それぞれ相当する。
【０１３１】
次に、裏パックユニット２０３の構成を図１７，図１８に基づいて説明する。図１７は裏パックユニット２０３の正面図、図１８は裏パックユニット２０３の分解斜視図である。
【０１３２】
裏パックユニット２０３は、裏パック３５１と遊技球の払出機構部３５２とが一体化されることにより構成されている。裏パック３５１は例えばＡＢＳ樹脂等の合成樹脂により一体成型されており、略平坦状のベース部３５３と、パチンコ機１０後方に突出し横長の略直方体形状をなす保護カバー部３５４とを有する。保護カバー部３５４は左右側面及び上面が閉鎖され且つ下面のみが開放された形状をなし、少なくとも可変表示ユニット３５を囲むのに十分な大きさを有する。但し、本実施の形態では、前述の音声ランプ制御装置２７２も併せて囲む構成となっている。保護カバー部３５４の背面には多数の通気孔３５４ａが設けられている。通気孔３５４ａは各々が長孔状をなし、それぞれの通気孔３５４ａが比較的近い位置で隣り合うよう設けられている。従って、隣り合う通気孔３５４ａ間にある樹脂部分を切断することにより、裏パック３５１の背面を容易に開口させることができる。つまり、通気孔３５４ａ間の樹脂部分を切断してその内部の表示制御装置２１４等を露出させることで、所定の検定等を容易に実施することができるようになっている。
【０１３３】
裏パック３５１のベース部３５３には、保護カバー部３５４を迂回するようにして払出機構部３５２が配設されている。すなわち、裏パック３５１の最上部には上方に開口したタンク３５５が設けられており、タンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、タンクレール３５６の下流側には上下方向に延びるケースレール３５７が連結されている。払出装置３５８はケースレール３５７の最下流部に設けられ、払出制御装置３１１の制御により払出モータ３５８ａが駆動されて必要個数の遊技球の払出が適宜行われる。払出装置３５８より払い出された遊技球は払出通路３５９等を通じて前記上皿２３等に供給される。なお、図示は省略するが、ケースレール３５７の上流部には、タンク３５５やタンクレール３５６から供給される遊技球の有無を検出するタンク球無しセンサが設けられている。また、払出装置３５８には、払出モータ３５８ａの回転を検出する払出回転センサと、払い出される遊技球数をカウントする払出カウントスイッチとが設けられている。
【０１３４】
タンクレール３５６には、当該タンクレール３５６に振動を付加するためのバイブレータ３６０が取り付けられている。バイブレータ３６０は、バイブモータとそのバイブモータを収容する合成樹脂製のケースとによりユニット化されており、２本の脚部３６０ａでタンクレール３５６に取り付けられている。従って、仮にタンクレール３５６付近で球詰まりが生じた際、バイブレータ３６０が駆動されることで球詰まりが解消されるようになっている。
【０１３５】
また、払出機構部３５２には、払出制御装置３１１から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４ボルトの主電源が供給され、電源スイッチ３８２ａの切替操作により電源ＯＮ又は電源ＯＦＦとされるようになっている。
【０１３６】
タンク３５５から払出通路３５９に至るまでの払出機構部３５２は何れも導電性を有する合成樹脂材料、例えば導電性ポリカーボネート樹脂にて成形され、その一部にてアースされている。これにより、遊技球の帯電によるノイズの発生が抑制されるようになっている。
【０１３７】
裏パック３５１には、その右上部に枠用外部端子板３９０が設けられている。枠用外部端子板３９０には、タンク３５５やタンクレール３５６で遊技球が不足した場合に信号出力するための出力端子、所定個数の賞球を払い出す毎に信号出力するための出力端子、所定個数の遊技球を貸し出す毎に信号出力するための出力端子、本体枠１２の開放時に信号出力するための出力端子、及び前扉枠１３の開放時に信号出力するための出力端子が設けられている。そして、これらの出力端子を通じて、遊技ホール側の管理制御装置に対して枠側の状態に関する信号が出力される。なお、所定個数の遊技球を貸し出す毎に信号出力するための出力端子はいわゆる現金機においては不要である。
【０１３８】
裏パック３５１には、枠用外部端子板３９０に隣接して略四角形状の窓部３９１が設けられている。従って、裏パックユニット１０３を本体枠１２に取り付けた状態では、窓部３９１を通じて遊技盤３０裏面の盤用外部端子板２３０が露出し、裏パックユニット１０３を装着したままで盤用外部端子板２３０の操作を行うことができるようになっている。裏パック３５１の右上部には本体枠１２の開放の状態を検出するための本体枠開放スイッチ３９２が設けられており、外枠１１に対して本体枠１２を閉じた状態では当該スイッチ３９２の金属接点が閉じて本体枠１２の閉鎖が検知され、外枠１１に対して本体枠１２を開いた状態では金属接点が開いて本体枠１２の開放が検知されるようになっている。
【０１３９】
裏パック３５１には、パチンコ機１０後方からみて右端部に上下一対の掛止ピン３８５が設けられており、掛止ピン３８５を前記軸受け部２３８に上方から挿通させることで、裏パックユニット２０３が本体枠１２に対して回動可能に片持ち支持される。裏パック３５１には、左端部に締結具として上下一対のナイラッチ３８６が設けられると共に、上端部に係止孔３８７が設けられており、ナイラッチ３８６を前記被締結孔２４０にはめ込むと共に、係止孔３８７に前記固定具２４２を挿入した上で当該固定具２４２を回動操作することで、裏パックユニット２０３が本体枠１２に固定される。また、前記固定具２４１，２４３によっても裏パックユニット２０３が本体枠１２に固定される。なお、軸受け部２３８及び掛止ピン３８５が前記支軸部Ｍ６に、被締結孔２４０及びナイラッチ３８６が前記締結部Ｍ７に、固定具２４２及び係止孔３８７が前記係止部Ｍ８に、それぞれ相当する。また、固定具２４３が前記係止部Ｍ９に相当する。
【０１４０】
次に、本パチンコ機１０の電気的構成について、図１９のブロック図に基づいて説明する。
【０１４１】
主制御装置２７１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【０１４２】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのメモリやエリアの他に、バックアップエリア５０３ａが設けられている。
【０１４３】
バックアップエリア５０３ａは、停電などの発生により電源が遮断された場合において、電源遮断時（停電発生時を含む。以下同様）のスタックポインタや、各レジスタ、Ｉ／Ｏ等の値を記憶しておくためのエリアであり、電源投入時（停電解消による電源投入を含む。以下同様）には、バックアップエリア５０３ａの情報に基づいてパチンコ機１０の状態が電源遮断前の状態に復帰できるようになっている。バックアップエリア５０３ａへの書き込みはＮＭＩ割込み処理（図２９参照）によって電源遮断時に実行され、バックアップエリア５０３ａに書き込まれた各値の復帰は電源投入時のメイン処理（図２２参照）において実行される。なお、ＣＰＵ５０１のＮＭＩ端子（ノンマスカブル割込端子）には、停電等の発生による電源遮断時に、停電監視回路５４２からの停電信号ＳＧ１が入力されるように構成されており、停電の発生により停電時処理としてのＮＭＩ割込み処理が即座に実行される。
【０１４４】
主制御装置２７１のＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、表示制御装置２１４や、その他図示しないスイッチ群などが接続されている。
【０１４５】
払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１４６】
払出制御装置３１１のＲＡＭ５１３は、主制御装置２７１のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのメモリやエリアの他に、バックアップエリア５１３ａが設けられている。
【０１４７】
バックアップエリア５１３ａは、停電などの発生により電源が遮断された場合において、電源遮断時のスタックポインタや、各レジスタ、Ｉ／Ｏ等の値を記憶しておくためのエリアであり、電源投入時には、このバックアップエリア５１３ａの情報に基づいてパチンコ機１０の状態が電源遮断前の状態に復帰できるようになっている。バックアップエリア５１３ａへの書き込みはＮＭＩ割込み処理によって電源遮断時に実行され、バックアップエリア５１３ａに書き込まれた各値の復帰は電源投入時のメイン処理において実行される。なお、主制御装置２７１のＣＰＵ５０１と同様、ＣＰＵ５１１のＮＭＩ端子にも、停電等の発生による電源遮断時に停電監視回路５４２から停電信号ＳＧ１が入力されるように構成されており、停電の発生により、ＮＭＩ割込み処理が即座に実行されるようになっている。
【０１４８】
払出制御装置３１１のＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２７１、発射制御装置３１２、払出モータ３５８ａなどがそれぞれ接続されている。
【０１４９】
発射制御装置３１２は、発射モータ２２９による遊技球の発射を許可又は禁止するものであり、発射モータ２２９は、所定条件が整っている場合に駆動が許可される。具体的には、払出制御装置３１１から発射許可信号が出力されていること、遊技者が遊技球発射ハンドル１８に触れていることをセンサ信号により検出していること、発射を停止させるための発射停止スイッチが操作されていないことを条件に、発射モータ２２９が駆動され、遊技球発射ハンドル１８の操作量に応じた強さで遊技球が発射される。
【０１５０】
表示制御装置２１４は、図柄表示装置４１における図柄の変動表示を制御するものである。表示制御装置２１４は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、２つの出力ポート５２８，５２９と、バスライン５３０，５３１とを備えている。入力ポート５２７の入力側には主制御装置２７１の出力側が接続され、入力ポート５２７の出力側には、ＣＰＵ５２１、ＲＯＭ５２２、ワークＲＡＭ５２３、画像コントローラ５２６が接続されると共にバスライン５３０を介して出力ポート５２８が接続されている。出力ポート５２８の出力側には音声ランプ制御装置２７２が接続されている。また、画像コントローラ５２６にはバスライン５３１を介して出力ポート５２９が接続されており、その出力ポート５２９の出力側には図柄表示装置４１が接続されている。
【０１５１】
表示制御装置２１４のＣＰＵ５２１は、主制御装置２７１から送信される図柄表示コマンドに基づいて図柄表示装置４１の表示を制御する。ＲＯＭ５２２は、ＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１５２】
ビデオＲＡＭ５２４は、図柄表示装置４１に表示される表示データを記憶するためのメモリであり、ビデオＲＡＭ５２４の内容を書き替えることにより、図柄表示装置４１の表示内容が変更される。キャラクタＲＯＭ５２５は、図柄表示装置４１に表示される図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して図柄表示装置４１に表示させるものである。
【０１５３】
電源装置３１３は、パチンコ機１０の各部に電源を供給するための電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２７１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２７１や払出制御装置３１１等に対して供給する。なお、発射制御装置３１２に対しては払出制御装置３１１を介して動作電源（＋１２Ｖ電源、＋５Ｖ電源等）が供給される。
【０１５４】
停電監視回路５４２は、停電等の発生による電源遮断時に、主制御装置２７１のＣＰＵ５０１及び払出制御装置３１１のＣＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置２７１及び払出制御装置３１１へ出力する。停電信号ＳＧ１の出力によって、主制御装置２７１及び払出制御装置３１１は、停電の発生を認識し、ＮＭＩ割込み処理を実行する。なお、電源部５４１は、直流安定２４ボルトの電圧が２２ボルト未満になった後においても、ＮＭＩ割込み処理の実行に充分な時間の間、制御系の駆動電圧である５ボルトの出力を正常値に維持するように構成されている。よって、主制御装置２７１及び払出制御装置３１１は、ＮＭＩ割込み処理を正常に実行し完了することができる。
【０１５５】
ＲＡＭ消去スイッチ回路５４３は、ＲＡＭ消去スイッチ３２３のスイッチ信号を取り込み、そのスイッチ３２３の状態に応じて主制御装置２７１及び払出制御装置３１１のバックアップデータをクリアするためのＲＡＭ消去信号ＳＧ２を出力する回路である。ＲＡＭ消去スイッチ３２３が押された際、ＲＡＭ消去スイッチ回路５４３は、主制御装置２７１及び払出制御装置３１１に対してＲＡＭ消去信号ＳＧ２を出力する。これにより、ＲＡＭ消去スイッチ３２３が押された状態でパチンコ機１０の電源が投入されると、主制御装置２７１及び払出制御装置３１１においてそれぞれのバックアップエリア５０３ａ，５１３ａのデータがクリアされる。
【０１５６】
次に、上記の如く構成されたパチンコ機１０の動作について説明する。
【０１５７】
本実施の形態では、主制御装置２７１内のＣＰＵ５０１は、遊技に際し各種カウンタ情報を用いて、当たり抽選や図柄表示装置４１の図柄表示の設定などを行うこととしており、具体的には、図２０に示すように、当たりの抽選に使用する当たり乱数カウンタＣ１と、図柄表示装置４１の当たり図柄の選択に使用する当たり図柄カウンタＣ２と、当たり乱数カウンタＣ１の初期値設定に使用する乱数初期値カウンタＣＩＮＩと、図柄表示装置４１の変動パターン選択に使用する変動種別カウンタＣＳ１，ＣＳ２と、図柄表示装置４１の２つの表示部４１ａに表示される左右の外れ図柄の設定に使用する外れ図柄カウンタＣＬ，ＣＲとを用いることとしている。
【０１５８】
このうち、カウンタＣ１，Ｃ２，ＣＩＮＩ，ＣＳ１，ＣＳ２は、その更新の都度前回値に１が加算され、最大値に達した後０に戻るループカウンタとなっている。また、外れ図柄カウンタＣＬ，ＣＲは、ＣＰＵ５０１内のＲレジスタ（リフレッシュレジスタ）を用いてレジスタ値が加算され、結果的に数値がランダムに変化する構成となっている。各カウンタは短時間間隔で更新され、その更新値がＲＡＭ５０３の所定領域に設定されたカウンタ用バッファに適宜格納される。
【０１５９】
各カウンタについて詳しくは、当たり乱数カウンタＣ１は、例えば０〜３０の範囲内で順に１ずつ加算され、最大値（つまり３０）に達した後０に戻る構成となっている。特に当たり乱数カウンタＣ１が１周した場合、その時点の乱数初期値カウンタＣＩＮＩの値が当該当たり乱数カウンタＣ１の初期値として読み込まれる。なお、乱数初期値カウンタＣＩＮＩは、当たり乱数カウンタＣ１と同様のループカウンタであり（値＝０〜３０）、タイマ割込み毎に１回更新されると共に通常処理の残余時間内で繰り返し更新される。当たり乱数カウンタＣ１は定期的に（本実施の形態ではタイマ割込み毎に1回）更新され、遊技球が特別入賞作動口４３に入賞したタイミングでＲＡＭ５０３のバッファ値が取得される。当たりとなる乱数の値は例えば２つ設けられている。
【０１６０】
当たり図柄カウンタＣ２は、当たり発生の際、図柄表示装置４１の変動停止時の図柄を決定するものであり、本実施の形態では、図柄表示装置４１の表示部４１ａにおいて図柄が５通り（数字図柄１，３，５，７，９）設定されていることから、５個（０〜４）のカウンタ値が用意されている。すなわち、当たり図柄カウンタＣ２は、０〜４の範囲内で順に１ずつ加算され、最大値（つまり４）に達した後０に戻る構成となっている。当たり図柄カウンタＣ２は定期的に（本実施の形態ではタイマ割込み毎に１回）更新され、遊技球が特別入賞作動口４３に入賞したタイミングでＲＡＭ５０３のバッファ値が取得される。
【０１６１】
２つの変動種別カウンタＣＳ１，ＣＳ２のうち、一方の変動種別カウンタＣＳ１は、例えば０〜１９８の範囲内で順に１ずつ加算され、最大値（つまり１９８）に達した後０に戻る構成となっており、他方の変動種別カウンタＣＳ２は、例えば０〜２４０の範囲内で順に１ずつ加算され、最大値（つまり２４０）に達した後０に戻る構成となっている。以下の説明では、ＣＳ１を「第１変動種別カウンタ」、ＣＳ２を「第２変動種別カウンタ」ともいう。第１変動種別カウンタＣＳ１によって、通常変動や特殊変動などの図柄の変動種別やその他大まかな図柄変動態様が決定され、第２変動種別カウンタＣＳ２によって、２つ目の図柄（本実施の形態では右図柄）が停止するまでの経過時間（言い換えれば、変動図柄数）などより細かな図柄変動態様が決定される。従って、これらの変動種別カウンタＣＳ１，ＣＳ２を組み合わせることで、変動パターンの多種多様化を容易に実現できる。また、第１変動種別カウンタＣＳ１だけで図柄変動態様を決定したり、第１変動種別カウンタＣＳ１と停止図柄との組み合わせで同じく図柄変動態様を決定したりすることも可能である。変動種別カウンタＣＳ１，ＣＳ２は、後述する通常処理が１回実行される毎に１回更新され、当該通常処理内の残余時間内でも繰り返し更新される。そして、図柄表示装置４１による図柄の変動開始時における変動パターン決定に際して変動種別カウンタＣＳ１，ＣＳ２のバッファ値が取得される。
【０１６２】
左・右の各外れ図柄カウンタＣＬ，ＣＲは、当たり抽選が外れとなった時に左図柄、右図柄の外れ停止図柄を決定するためのものであり、図柄表示装置４１の各表示部４１ａでは５通りの図柄の何れかが表示されることから、各々に５個（０〜４）のカウンタ値が用意されている。そして、図柄の変動開始時における変動パターン決定時に、左・右の各外れ図柄カウンタＣＬ，ＣＲのバッファ値が取得される。
【０１６３】
なお、各カウンタの大きさや範囲は一例にすぎず任意に変更できる。但し、不規則性を重視すれば、当たり乱数カウンタＣ１、変動種別カウンタＣＳ１，ＣＳ２の大きさは何れも異なる素数とし、いかなる場合にも同期しない数値としておくのが望ましい。
【０１６４】
次いで、主制御装置２７１内のＣＰＵ５０１により実行される各制御処理を図２１〜図２６のフローチャートを参照しながら説明する。かかるＣＰＵ５０１の処理としては大別して、電源投入に伴い起動されるメイン処理と、定期的に（本実施の形態では２ｍｓｅｃ周期で）起動されるタイマ割込み処理と、ＮＭＩ端子（ノンマスカブル端子）への停電信号の入力により起動されるＮＭＩ割込み処理とがあり、説明の便宜上、はじめにタイマ割込み処理とＮＭＩ割込み処理とを説明し、その後メイン処理を説明する。
【０１６５】
図２４は、タイマ割込み処理を示すフローチャートであり、本処理は主制御装置２７１のＣＰＵ５０１により例えば２ｍｓｅｃ毎に実行される。
【０１６６】
図２４において、ステップＳ６０１では、各種入賞スイッチの読み込み処理を実行する。すなわち、主制御装置２７１に接続されている各種スイッチ（但し、ＲＡＭ消去スイッチ３２３を除く）の状態を読み込むと共に、当該スイッチの状態を判定して検出情報（入賞検知情報）を保存する。
【０１６７】
その後、ステップＳ６０２では、乱数初期値カウンタＣＩＮＩの更新を実行する。具体的には、乱数初期値カウンタＣＩＮＩを１インクリメントすると共に、そのカウンタ値が最大値（本実施の形態では３０）に達した際０にクリアする。そして、乱数初期値カウンタＣＩＮＩの更新値を、ＲＡＭ５０３の該当するバッファ領域に格納する。続くステップＳ６０３では、当たり乱数カウンタＣ１及び当たり図柄カウンタＣ２の更新を実行する。具体的には、当たり乱数カウンタＣ１及び当たり図柄カウンタＣ２をそれぞれ１インクリメントすると共に、それらのカウンタ値が最大値（本実施の形態ではそれぞれ、３０，４））に達した際それぞれ０にクリアする。そして、各カウンタＣ１，Ｃ２の更新値を、ＲＡＭ５０３の該当するバッファ領域に格納する。
【０１６８】
その後、ステップＳ６０４では、特別入賞作動口４３への入賞に伴う作動口入賞処理を実行する。この作動口入賞処理を図２５のフローチャートにより説明すると、ステップＳ７０１では、遊技球が特別入賞作動口４３に入賞したか否かを作動口スイッチの検出情報により判別する。遊技球が特別入賞作動口４３に入賞したと判別されると、続くステップＳ７０２では、前記ステップＳ６０３で更新した当たり乱数カウンタＣ１及び当たり図柄カウンタＣ２の各バッファ値を取得する。そして、作動口入賞処理の後、ＣＰＵ５０１は本タイマ割込み処理を一旦終了する。
【０１６９】
図２６は、ＮＭＩ割込み処理を示すフローチャートであり、本処理は、主制御装置２７１のＣＰＵ５０１により停電の発生等によるパチンコ機１０の電源遮断時に実行される。このＮＭＩ割込みにより、電源遮断時の主制御装置２７１の状態がＲＡＭ５０３のバックアップエリア５０３ａに記憶される。すなわち、停電の発生等によりパチンコ機１０の電源が遮断されると、停電信号ＳＧ１が停電監視回路５４２から主制御装置２７１内のＣＰＵ５０１のＮＭＩ端子に出力され、ＣＰＵ５０１は実行中の制御を中断してＮＭＩ割込み処理を開始する。図２６のＮＭＩ割込み処理プログラムは、主制御装置２７１のＲＯＭ５０２に記憶されている。停電信号ＳＧ１が出力された後所定時間は、主制御装置２７１の処理が実行可能となるように電源部５４１から電源供給がなされており、この所定時間内にＮＭＩ割込み処理が実行される。
【０１７０】
ＮＭＩ割込み処理において、ステップＳ８０１では使用レジスタをＲＡＭ５０３のバックアップエリア５０３ａに退避し、続くステップＳ８０２ではスタックポインタの値を同バックアップエリア５０３ａに記憶する。さらに、ステップＳ８０３では電源遮断の発生情報をバックアップエリア５０３ａに設定し、ステップＳ８０４では電源が遮断されたことを示す電源遮断通知コマンドを他の制御装置に対して送信する。ステップＳ８０５ではＲＡＭ判定値を算出し、バックアップエリア５０３ａに保存する。ＲＡＭ判定値は、例えば、ＲＡＭ５０３の作業領域アドレスにおけるチェックサム値である。ステップＳ８０６では、ＲＡＭアクセスを禁止する。その後は、電源が完全に遮断して処理が実行できなくなるのに備え、無限ループに入る。
【０１７１】
なお、上記のＮＭＩ割込み処理は払出制御装置３１１でも同様に実行され、かかるＮＭＩ割込みにより、停電の発生等による電源遮断時の払出制御装置３１１の状態がＲＡＭ５１３のバックアップエリア５１３ａに記憶される。停電信号ＳＧ１が出力された後所定時間は、払出制御装置３１１の処理が実行可能となるように電源部５４１から電源供給がなされるのも同様である。すなわち、停電の発生等によりパチンコ機１０の電源が遮断されると、停電信号ＳＧ１が停電監視回路５４２から払出制御装置３１１内のＣＰＵ５１１のＮＭＩ端子に出力され、ＣＰＵ５１１は実行中の制御を中断して図２６のＮＭＩ割込み処理を開始する。その内容はステップＳ８０４の電源遮断通知コマンドの送信を行わない点を除き上記説明と同様である。
【０１７２】
図２１は、主制御装置２７１内のＣＰＵ５０１により実行されるメイン処理の一例を示すフローチャートであり、このメイン処理は電源投入時のリセットに伴い起動される。
【０１７３】
メイン処理において、ステップＳ１０１では、電源投入に伴う初期設定処理を実行する。具体的には、スタックポインタに予め決められた所定値を設定すると共に、サブ側の制御装置（音声ランプ制御装置２７２、払出制御装置３１１等）が動作可能な状態になるのを待つために例えば１秒程度、ウェイト処理を実行する。ステップＳ１０２では、払出制御装置３１１に対して払出許可コマンドを送信し、続くステップＳ１０３では、ＲＡＭアクセスを許可する。
【０１７４】
その後、ＣＰＵ５０１内のＲＡＭ５０３に関してデータバックアップの処理を実行する。つまり、ステップＳ１０４では電源装置３１３に設けたＲＡＭ消去スイッチ３２３が押されているか否かを判別し、続くステップＳ１０５ではＲＡＭ５０３のバックアップエリア５０３ａに電源遮断の発生情報が設定されているか否かを判別する。また、ステップＳ１０６ではＲＡＭ判定値を算出し、続くステップＳ１０７では、そのＲＡＭ判定値が電源遮断時に保存したＲＡＭ判定値と一致するか否か、すなわちバックアップの有効性を判別する。ＲＡＭ判定値は、例えばＲＡＭ５０３の作業領域アドレスにおけるチェックサム値である。なお、ＲＡＭ５０３の所定のエリアに書き込まれたキーワードが正しく保存されているか否かによりバックアップの有効性を判断することも可能である。
【０１７５】
上述したように、本パチンコ機１０では、例えばホールの営業開始時など、電源投入時にＲＡＭデータを初期化する場合にはＲＡＭ消去スイッチ３２３を押しながら電源が投入される。従って、ＲＡＭ消去スイッチ３２３が押されていれば、ＲＡＭの初期化処理（ステップＳ１１４〜Ｓ１１６）に移行する。また、電源遮断の発生情報が設定されていない場合や、ＲＡＭ判定値（チェックサム値等）によりバックアップの異常が確認された場合も同様にＲＡＭ５０３の初期化処理（ステップＳ１１４〜Ｓ１１６）に移行する。つまり、ステップＳ１１４ではＲＡＭ５０３の使用領域を０にクリアし、続くステップＳ１１５ではＲＡＭ５０３の初期化処理を実行する。また、ステップＳ１１６では割込み許可を設定し、後述する通常処理に移行する。
【０１７６】
一方、ＲＡＭ消去スイッチ３２３が押されていない場合には、電源遮断の発生情報が設定されていること、及びＲＡＭ判定値（チェックサム値等）が正常であることを条件に、復電時の処理（電源遮断復旧時の処理）を実行する。つまり、ステップＳ１０８では電源遮断前のスタックポインタを復帰させ、ステップＳ１０９では電源遮断の発生情報をクリアする。ステップＳ１１０ではサブ側の制御装置を電源遮断時の遊技状態に復帰させるためのコマンドを送信し、ステップＳ１１１では使用レジスタをＲＡＭ５０３のバックアップエリア５０３ａから復帰させる。また、ステップＳ１１２，Ｓ１１３では、割込み許可／不許可を電源遮断前の状態に復帰させた後、電源遮断前の番地へ戻る。
【０１７７】
次に、通常処理の流れを図２２のフローチャートを参照しながら説明する。この通常処理では遊技の主要な処理が実行される。その概要として、ステップＳ２０１〜Ｓ２０７の処理が４ｍｓｅｃ周期の定期処理として実行され、その残余時間でステップＳ２０９，Ｓ２１０のカウンタ更新処理が実行される構成となっている。
【０１７８】
通常処理において、ステップＳ２０１では、前回の処理で更新されたコマンド等の出力データをサブ側の各制御装置に送信する。具体的には、入賞検知情報の有無を判別し、入賞検知情報があれば払出制御装置３１１に対して獲得遊技球数に対応する賞球払出コマンドを送信する。また、図柄表示装置４１による図柄の変動表示に際して停止図柄コマンド、変動パターンコマンド、時短コマンド等を表示制御装置２１４に送信する。なお、図柄の変動開始後において、変動パターンコマンド→左図柄の停止図柄コマンド→右図柄の停止図柄コマンドの順で通常処理の都度１つずつ（すなわち、４ｍｓｅｃ毎に１つずつ）コマンドが送信されるようになっている。
【０１７９】
次に、ステップＳ２０２では、変動種別カウンタＣＳ１，ＣＳ２の更新を実行する。具体的には、変動種別カウンタＣＳ１，ＣＳ２を１インクリメントすると共に、それらのカウンタ値が最大値（本実施の形態では１９８，２４０）に達した際それぞれ０にクリアする。そして、変動種別カウンタＣＳ１，ＣＳ２の更新値を、ＲＡＭ５０３の該当するバッファ領域に格納する。続くステップＳ２０３では、左図柄及び右図柄列の各外れ図柄カウンタＣＬ，ＣＲの更新を実行する。このとき、更新した外れ図柄カウンタＣＬ，ＣＲの組み合わせが当たり図柄の組み合わせになっていないことを確認した上で、カウンタ値をバッファに格納する。
【０１８０】
その後、ステップＳ２０４では、払出制御装置３１１より受信した賞球計数信号や払出異常信号を読み込む。さらに、ステップＳ２０５では、図柄表示装置４１による図柄の変動表示を行うための図柄変動処理を実行する。この図柄変動処理により、当たり判定や図柄の変動パターンの設定などが行われる。但し、図柄変動処理の詳細は後述する。
【０１８１】
その後、ステップＳ２０６では、電動入賞装置３３を開放するための電動入賞装置開放処理を実行する。すなわち、前記図２４のタイマ割込み処理において入賞検出スイッチの検出信号により契機作動口３２への遊技球の入賞が検知されていれば、電動入賞装置３３を所定時間（例えば１秒程度）開放する。また、特別装置の作動終了直後には、遊技者に有利な所定遊技状態となるチャンス期間が設けられており、このチャンス期間では、契機作動口３２を通過する遊技球数が所定回数になるまでは電動入賞装置３３の開放時間が例えば６秒程度に延長されるようになっている。従って、このチャンス期間中においては、ＣＰＵ５０１は、契機作動口３２を遊技球が通過する回数をカウントするとともに、そのカウント数が所定値（例えば１０）になるまでの間、契機作動口３２を遊技球が通過する毎に前記延長した開放時間で電動入賞装置３３を開放状態とする。
【０１８２】
また、ステップＳ２０７では、特別装置の作動状態（権利発生状態）である場合において変動入賞装置３５を開放又は閉鎖するための変動入賞装置開閉処理を実行する。すなわち、特別装置の作動状態下で始動入賞装置３４の入賞毎に変動入賞装置３５を開放し、所定個数（例えば１０個）の入賞があったか、又は変動入賞装置３５の最大開放時間（例えば１０秒）が経過したかを判定する。そして、これら何れかの条件が成立すると変動入賞装置３５を閉鎖する。この開閉処理を所定ラウンド数繰り返し実行する。
【０１８３】
その後、ステップＳ２０８では、次の通常処理の実行タイミングに至ったか否か、すなわち前回の通常処理の開始から所定時間（本実施の形態では４ｍｓｅｃ）が経過したか否かを判別する。そして、次の通常処理の実行タイミングに至るまでの残余時間内において、乱数初期値カウンタＣＩＮＩ及び変動種別カウンタＣＳ１，ＣＳ２の更新を繰り返し実行する（ステップＳ２０９，Ｓ２１０）。つまり、ステップＳ２０９では、乱数初期値カウンタＣＩＮＩの更新を実行する。具体的には、乱数初期値カウンタＣＩＮＩを１インクリメントすると共に、そのカウンタ値が最大値（本実施の形態では３０）に達した際０にクリアする。そして、乱数初期値カウンタＣＩＮＩの更新値を、ＲＡＭ５０３の該当するバッファ領域に格納する。また、ステップＳ２１０では、変動種別カウンタＣＳ１，ＣＳ２の更新を実行する。具体的には、変動種別カウンタＣＳ１，ＣＳ２を１インクリメントすると共に、それらのカウンタ値が最大値（本実施の形態では１９８，２４０）に達した際それぞれ０にクリアする。そして、変動種別カウンタＣＳ１，ＣＳ２の更新値を、ＲＡＭ５０３の該当するバッファ領域に格納する。
【０１８４】
ここで、ステップＳ２０１〜Ｓ２０７の各処理の実行時間は遊技の状態に応じて変化するため、次の通常処理の実行タイミングに至るまでの残余時間は一定でなく変動する。故に、かかる残余時間を使用して乱数初期値カウンタＣＩＮＩの更新を繰り返し実行することにより、乱数初期値カウンタＣＩＮＩ（すなわち、当たり乱数カウンタＣ１の初期値）をランダムに更新することができ、同様に変動種別カウンタＣＳ１，ＣＳ２についてもランダムに更新することができる。
【０１８５】
次に、前記ステップＳ２０５の図柄変動処理を図２３のフローチャートを参照して説明する。
【０１８６】
図柄変動処理において、ステップＳ４０１では、今現在、特別装置作動中であるか否かを判別し、特別装置作動中でないことを条件にステップＳ４０２に進み、図柄表示装置４１による図柄の変動表示中であるか否かを判別する。そして、特別装置作動中でなく且つ図柄の変動表示中でもなければ、ステップＳ４０３に進む。ステップＳ４０３では、前記図２４（タイマ割込み処理）のスイッチ読み込み処理の結果に基づいて契機作動口３２への遊技球の入賞の有無を判別する。そして、遊技球が契機作動口３２に入賞したと判別されることを条件にステップＳ４０４に進み、当たり乱数カウンタＣ１の値に基づいて当たりか否かを判別する。
【０１８７】
当たりであると判別された場合、ステップＳ４０５では、当たり図柄カウンタＣ２の値に対応する図柄、すなわち当たり図柄を図示しないテーブル（当たり図柄カウンタＣ２の値と図柄との対応関係を表すテーブル）に基づいて求め、その図柄を停止図柄コマンドに設定する。次に、ステップＳ４０６では、当たり図柄で停止するまでの図柄の変動パターンを決定し、当該変動パターンを変動パターンコマンドに設定する。このとき、ＲＡＭ５０３のカウンタ用バッファに格納されている変動種別カウンタＣＳ１，ＣＳ２の値を確認し、第１変動種別カウンタＣＳ１の値に基づいて変動種別やその他大まかな図柄変動態様を決定すると共に、第２変動種別カウンタＣＳ２の値に基づいて最終停止図柄（本実施の形態では右図柄）が停止するまでの経過時間（言い換えれば、変動図柄数）などより細かな図柄変動態様を決定する。但し、上記変動パターンは、第２変動種別カウンタＣＳ２の値を使わずに第１変動種別カウンタＣＳ１の値だけを用いて設定することも可能であり、第１変動種別カウンタＣＳ１の値だけでパターン設定するか又は両変動種別カウンタＣＳ１，ＣＳ２の両値でパターン設定するかは、その都度の第１変動種別カウンタＣＳ１の値や遊技条件などに応じて適宜決められるようになっている。
【０１８８】
ステップＳ４０４で当たりではないと判別された場合には、ステップＳ４０７で、ＲＡＭ５０３の外れ図柄バッファに格納されている左・右の各外れ図柄カウンタＣＬ，ＣＲの各値を停止図柄コマンドに設定する。また、ステップＳ４０８では、外れ表示のための変動パターンを決定し、当該変動パターンを変動パターンコマンドに設定する。このとき、ＲＡＭ５０３のカウンタ用バッファに格納されている変動種別カウンタＣＳ１，ＣＳ２の値に基づいて変動パターンが決定されるのは前記ステップＳ４０６と同様である。上記の通り図柄停止コマンド及び変動パターンコマンドの設定が完了すると、本処理を終了する。
【０１８９】
一方で、ステップＳ４０２がＹＥＳの場合（図柄変動中の場合）、ステップＳ４０９に進み、図柄の変動表示中における契機作動口３２への遊技球の入賞の有無を判別する。そして、遊技球が契機作動口３２に入賞したと判別されることを条件にステップＳ４１０に進み、現に実施されている図柄の変動表示についてその変動時間を短縮するための時短処理を実施する。この時短処理では、今現在実施されている変動表示演出に対して時短コマンドが設定される。
【０１９０】
次に、払出制御装置３１１内のＣＰＵ５１１により実行される払出制御について説明する。図２７は、払出制御装置３１１のメイン処理を示すフローチャートであり、このメイン処理は電源投入時のリセットに伴い起動される。
【０１９１】
まず、ステップＳ９０１では、電源投入に伴う初期設定処理を実行する。具体的には、スタックポインタに予め決められた所定値を設定すると共に、割込みモードを設定する。また、ステップＳ９０２では、主制御装置２７１から送信される払出許可コマンドを受信するまで待機する。そして、払出許可コマンドを受信した時点でステップＳ９０３に進んでＲＡＭアクセスを許可すると共に、ステップＳ９０４で外部割込みベクタの設定を行う。
【０１９２】
その後、ＣＰＵ５１１内のＲＡＭ５１３に関してデータバックアップの処理を実行する。つまり、ステップＳ９０５では電源装置３１３に設けたＲＡＭ消去スイッチ３２３が押されているか否かを判別し、続くステップＳ９０６ではＲＡＭ５１３のバックアップエリア５１３ａに電源遮断の発生情報が設定されているか否かを判別する。また、ステップＳ９０７ではＲＡＭ判定値を算出し、続くステップＳ９０８では、そのＲＡＭ判定値が電源遮断時に保存したＲＡＭ判定値と一致するか否か、すなわちバックアップの有効性を判別する。ＲＡＭ判定値は、例えばＲＡＭ５１３の作業領域アドレスにおけるチェックサム値である。なお、ＲＡＭ５１３の所定のエリアに書き込まれたキーワードが正しく保存されているか否かによりバックアップの有効性を判断することも可能である。
【０１９３】
ＲＡＭ消去スイッチ３２３が押されていれば、ＲＡＭの初期化処理（ステップＳ９１５〜Ｓ９１８）に移行する。また、電源遮断の発生情報が設定されていない場合や、ＲＡＭ判定値（チェックサム値等）によりバックアップの異常が確認された場合も同様にＲＡＭ５１３の初期化処理（ステップＳ９１５〜Ｓ９１８）に移行する。つまり、ステップＳ９１５ではＲＡＭ５１３の全領域を０にクリアし、続くステップＳ９１６ではＲＡＭ５１３の初期化処理を実行する。また、ステップＳ９１７ではＣＰＵ周辺デバイスの初期設定を行うと共に、ステップＳ９１８では割込み許可を設定し、後述する払出制御処理に移行する。
【０１９４】
一方、ＲＡＭ消去スイッチ３２３が押されていない場合には、電源遮断の発生情報が設定されていること、及びＲＡＭ判定値（チェックサム値等）が正常であることを条件に、復電時の処理（電源遮断復旧時の処理）を実行する。つまり、ステップＳ９０９では電源遮断前のスタックポインタを復帰させ、ステップＳ９１０では電源遮断の発生情報をクリアする。また、ステップＳ９１１ではＣＰＵ周辺デバイスの初期設定を行い、ステップＳ９１２では使用レジスタをＲＡＭ５１３のバックアップエリア５１３ａから復帰させる。さらに、ステップＳ９１３，Ｓ９１４では、割込み許可／不許可を電源遮断前の状態に復帰させた後、電源遮断前の番地へ戻る。
【０１９５】
次に、払出制御処理の流れを図２８のフローチャートを参照しながら説明する。
【０１９６】
図２８において、ステップＳ１００１では、主制御装置２７１からのコマンドを取得し、賞球の総賞球個数を記憶する。ステップＳ１００２では、発射制御装置３１２に対して発射許可の設定を行う。また、ステップＳ１００３では、状態復帰スイッチ３２１をチェックして、状態復帰動作開始と判定した場合に状態復帰動作を実行する。
【０１９７】
その後、ステップＳ１００４では、下皿１６の状態の変化に応じて下皿満タン状態又は下皿満タン解除状態の設定を実行する。すなわち、下皿満タンスイッチの検出信号により下皿１６の満タン状態を判別し、下皿満タンになった時、下皿満タン状態の設定を実行し、下皿満タンでなくなった時、下皿満タン解除状態の設定を実行する。また、ステップＳ１００５では、タンク球の状態の変化に応じてタンク球無し状態又はタンク球無し解除状態の設定を実行する。すなわち、タンク球無しスイッチの検出信号によりタンク球無し状態を判別し、タンク球無しになった時、タンク球無し状態の設定を実行し、タンク球無しでなくなった時、タンク球無し解除状態の設定を実行する。
【０１９８】
その後、ステップＳ１００６では、報知する状態の有無を判別し、報知する状態が有る場合には払出制御装置３１１に設けた７セグメントＬＥＤにより報知する。
【０１９９】
ステップＳ１００７〜Ｓ１００９では、賞球払出の処理を実行する。この場合、賞球の払出不可状態でなく且つ前記ステップＳ１００１で記憶した総賞球個数が０でなければ（ステップＳ１００７，Ｓ１００８が共にＮＯ）、ステップＳ１００９に進み、図２９に示した後述する賞球制御処理を開始する。また、賞球の払出不可状態又は総賞球個数が０であれば（ステップＳ１００７，Ｓ１００８の何れかがＹＥＳ）、ステップＳ１０１０〜Ｓ１０１２の貸球払出の処理に移行する。
【０２００】
貸球払出の処理において、貸球の払出不可状態でなく且つカードユニットからの貸球払出要求を受信していれば（ステップＳ１０１０がＮＯ、Ｓ１０１１がＹＥＳ）、ステップＳ１０１２に進み、図３０に示した後述する貸球制御処理を開始する。また、貸球の払出不可状態又は貸球払出要求を受信していなければ（ステップＳ１０１０がＹＥＳ又はＳ１０１１がＮＯ）、後続の球抜きの処理を実行する。
【０２０１】
ステップＳ１０１３では、状態復帰スイッチ３２１をチェックして球抜き不可状態でないこと、及び球抜き動作開始でないことを条件に、払出モータ３５８ａを駆動させ球抜き処理を実行する。続くステップＳ１０１４では、球詰まり状態であることを条件にバイブレータ３６０の制御（バイブモータ制御）を実行する。その後、本払出制御処理の先頭に戻る。
【０２０２】
ここで、図２９に示す賞球制御処理において、ステップＳ１１０１では、払出モータ３５８ａを駆動させて賞球の払出を実行する。続くステップＳ１１０２では、払出モータ３５８ａの回転が正常であるかを払出回転センサの検出結果により判別する。払出モータ３５８ａの回転が正常でなければ、ステップＳ１１０３に進み、払出モータ３５８ａを駆動させてリトライ処理を実行すると共に払出モータ３５８ａの停止処理を実行し、その後、図２８の払出制御処理に戻る。
【０２０３】
また、払出モータ３５８ａの回転が正常であれば、ステップＳ１１０４に進み、遊技球のカウントが正常に行われているか否かを払出カウントスイッチの検出結果により判別する。遊技球のカウントが正常でなければ、ステップＳ１１０５に進み、払出モータ３５８ａを駆動させてリトライ処理を実行すると共に払出モータ３５８ａの停止処理を実行し、その後、図２８の払出制御処理に戻る。
【０２０４】
さらに、遊技球のカウントが正常であれば、ステップＳ１１０６に進み、払出カウントスイッチによる遊技球のカウント数が総賞球個数に達して払出が完了したか否かを判別する。払出が完了していれば、ステップＳ１１０７で払出モータ３５８ａの停止処理を実行し、その後、図２８の払出制御処理に戻る。
【０２０５】
また、図３０に示す貸球制御処理において、ステップＳ１２０１では、払出モータ３５８ａを駆動させて貸球の払出を実行する。続くステップＳ１２０２では、払出モータ３５８ａの回転が正常であるかを払出回転センサの検出結果により判別する。払出モータ３５８ａの回転が正常でなければ、ステップＳ１２０３に進み、払出モータ３５８ａを駆動させてリトライ処理を実行すると共に払出モータ３５８ａの停止処理を実行し、その後、図２８の払出制御処理に戻る。
【０２０６】
また、払出モータ３５８ａの回転が正常であれば、ステップＳ１２０４に進み、遊技球のカウントが正常に行われているか否かを払出カウントスイッチの検出結果により判別する。遊技球のカウントが正常でなければ、ステップＳ１２０５に進み、払出モータ３５８ａを駆動させてリトライ処理を実行すると共に払出モータ３５８ａの停止処理を実行し、その後、図２８の払出制御処理に戻る。
【０２０７】
さらに、遊技球のカウントが正常であれば、ステップＳ１２０６に進み、払出カウントスイッチによる遊技球のカウント数が所定の貸球個数（２５個）に達して払出が完了したか否かを判別する。払出が完了していれば、ステップＳ１２０７で払出モータ３５８ａの停止処理を実行し、その後、図２８の払出制御処理に戻る。
【０２０８】
次に、表示制御装置２１４による表示制御の具体的手順について概説する。図３１は、表示制御装置２１４内のＣＰＵ５２１により実行される表示制御処理を示すフローチャートである。ＣＰＵ５２１は、図３１に示す手順に従って主制御装置２７１から提供される各種コマンドを処理しつつ図柄表示装置４１の表示制御を実行する。
【０２０９】
図３１において、先ずステップＳ１３０１では、主制御装置２７１から何らかのコマンドを受信したか否かを判別する。ステップＳ１３０１がＮＯの場合、コマンドを受信するまで待機する。ステップＳ１３０１がＹＥＳの場合、ステップＳ１３０２に進み、そのコマンドが停止図柄コマンド、変動パターンコマンドといった図柄表示に直接関係のある表示コマンド（但し、時短コマンドは除く）であるか否かを判別する。表示コマンドを受信すると、ステップＳ１３０３に進み、その表示コマンドの内容をワークＲＡＭ５２３に格納する。
【０２１０】
続いてステップＳ１３０４では、ワークＲＡＭ５２３に格納された情報に基づき、画像コントローラ５２６に対する内部コマンドを生成する等の各種の演算処理を開始する。内部コマンドは、変動表示の開始から終了までの一連の表示演出を指定するためのコマンドであり、ワークＲＡＭ５２３に格納された情報に基づいてその都度必要な内部コマンドが生成される。これにより、画像コントローラ５２６は、ＣＰＵ５２１からの指令（内部コマンド）に応じて描画処理を行い、図柄表示装置４１での図柄の変動表示を開始する。またこのとき、ＣＰＵ５２１は、その都度の表示演出に同期させながら、音声類、ランプ類を駆動するための制御コマンドを音声ランプ制御装置２７２に対して送信する。これにより、音声ランプ制御装置２７２は、ＣＰＵ５２１からの制御コマンドに従って音声類やランプ類を駆動させる。なお、表示コマンドを一旦受信するとその後変動終了までの間、ＣＰＵ５２１と画像コントローラ５２６との協働のもとに図柄の変動表示が継続される。その間、ＣＰＵ５２１は、画像コントローラ５２６の制御とコマンド受信処理とを並行して行う。音声ランプ制御装置２７２における制御も同様である。
【０２１１】
ステップＳ１３０２で受信したコマンドが表示コマンドでない場合（ステップＳ１３０２がＮＯの場合）には、ステップＳ１３０５に進み、受信コマンドが時短コマンドであるか否かを判別する。ステップＳ１３０５がＹＥＳの場合には、ステップＳ１３０６に進み、時短表示処理を行った後、本処理を終了する。この時短表示処理では、ＣＰＵ５２１は、今現在実施している図柄の変動表示を強制的に終了させるよう画像コントローラ５２６に対して内部コマンドを出力する。これにより、図柄変動中に契機作動口３２に遊技球が入賞して電動入賞装置３３が開放された場合に、遊技球が特別入賞作動口４３に導入されて次回の図柄変動の開始条件が整うまでには現時点の図柄変動が終了されることとなる。故に、次回の図柄変動が確実に行われる。
【０２１２】
以上詳述した本実施の形態によれば、特別装置の作動終了直後のチャンス期間などにおいて、図柄変動の最中に契機作動口３２に遊技球が入賞すると、その時の図柄変動に対して時短処理が実施されるため、現に実施されている図柄変動を早急に終了させて次の図柄変動の開始を許容できる。その結果、契機作動口３２の遊技球の通過（特別入賞作動口４３への遊技球導入）を無駄にすることなく、所望とする図柄変動を有効に行わせることができる。このとき、チャンス期間内には電動入賞装置３３の延長開放の回数が所定回数（例えば１０）に規定されているが、その規定の回数分の図柄変動を行わせる確率が上がる。よって、遊技者が不利と感じる要因を排斥し、ひいては遊技の興趣を高めることが可能となる。また、無駄な契機作動口３２の遊技球の通過（特別入賞作動口４３への遊技球導入）をなくすために遊技球の打ち出し（発射）を一時的に中断することが強いられるといった不都合も解消される。図柄変動の実施間隔が狭まると考えられるため、遊技の進行が早められると言う効果も併せて期待できる。
【０２１３】
本パチンコ機１０では、遊技球が契機作動口３２を通過した履歴を留保する留保機能、及び遊技球が特別入賞作動口４３を通過した履歴を留保する留保機能を共に持たない構成としているが、こうしたパチンコ機１０にあって特に好都合な構成が実現できる。
【０２１４】
なお、上述した実施の形態の記載内容に限定されず、例えば次のように実施してもよい。
【０２１５】
（ａ）上記実施の形態では、図柄変動中に契機作動口３２に遊技球が入賞したことを検知して図柄変動の時短処理を実施したが（図２３参照）、これに代えて、契機作動口３２への遊技球入賞に伴う電動入賞装置３３の開放動作に合わせて図柄変動の時短処理を実施する構成であっても良い。電動入賞装置３３の開放動作の有無は、その制御主体であるＣＰＵ５０１の制御信号から判断されても良いし、電動入賞装置３３にセンサを設けておいてその検出信号から判断されても良い。また、電動入賞装置３３に遊技球が入賞したことをセンサにより検出し、その検出信号に基づいて図柄変動の時短処理を実施する構成であっても良い。これらの構成によっても同等の作用効果が得られる。
【０２１６】
（ｂ）遊技球が契機作動口３２を通過することに基づいて開閉装置としての電動入賞装置３３を開放する構成としたが、これを変更する。要は、遊技球が契機作動口３２を通過することで特別入賞作動口４３への遊技球入賞を可能又は容易とする構成であればよく、特別入賞作動口４３に通じる入球部の開口部を拡大することができるもの、同入球部の数を増やすことができるもの、特別入賞作動口４３に通じる遊技球通路を閉鎖状態から開放状態に切り替えるものなど、種々の構成が適用できる。
【０２１７】
（ｃ）上記実施の形態では、特別装置の作動終了後におけるチャンス期間である場合だけでなく通常の遊技状態であっても、図柄の変動表示中に契機作動口３２に遊技球が入賞すると時短処理を実施する構成としたが（図２３参照）、これを変更し、特別装置の作動終了後におけるチャンス期間である場合にのみ前記時短処理を実施する構成としても良い。
【０２１８】
（ｄ）特別装置の作動終了後におけるチャンス期間が設定されていないパチンコ機にも本発明が適用できる。かかる場合にも、図柄変動の機会が失われるといった不都合が解消されることには変わりなく、遊技者が不利と感じる要因を排斥し、ひいては遊技の興趣を高めることが可能となる。
【０２１９】
（ｅ）図柄表示装置４１の停止図柄が当たり図柄となる場合には、該当する図柄変動の時短処理を実施しないようにしても良い。停止図柄が当たり図柄となる場合にも時短処理が行われると、仮に当たり図柄が連続する場合に一旦発生した権利がその直後に消滅してしまうおそれがある。しかしながら、停止図柄が当たり図柄となる場合には、該当する図柄変動の時短処理を実施しないようにすることでこうした不都合が回避できる。
【０２２０】
（ｆ）遊技球導入ユニット４８に、遊技球を特別入賞作動口４３に導くかそれ以外の部位に導くかを振り分ける振り分け装置を設ける構成としても良い。例えば、１／４，１／５，１／６程度の確率で遊技球を特別入賞作動口４３に導く構成とする。かかる場合、振り分け装置を設けない場合と比べて、遊技球が特別入賞作動口４３に導かれるための前段階がより厳しいものとなり、遊技球が特別入賞作動口４３に導かれることの価値が高まる。上記実施の形態によれば、遊技球が特別入賞作動口４３に導かれることの価値を損なわせるような事態が回避できる。
【０２２１】
（ｇ）遊技球が特別入賞作動口４３に導かれるための前段階は上記構成以外にも任意に変更でき、要は、球通過部を遊技球が通過すること、導入補助装置が動作して（又は開閉装置が開放されて）遊技球が遊技球導入装置に導入されることを前段階として含むものであればよい。なお、前段階がより厳しいものとなれば、遊技球が特別入賞作動口４３に導かれることの価値が高まることとなり、本発明の効果が顕著なものとなる。
【０２２２】
（ｈ）電動入賞装置３３として左右開閉式（いわゆるチューリップ開放型）の電動役物に代えて、遊技盤３０から手前側に開放されるアタッカ開閉板を用いる構成としても良い。また同様に、変動入賞装置３５としても左右開閉式の電動役物に代えて、アタッカ開閉板を用いても良い。
【０２２３】
（ｉ）図柄表示装置４１は、図４で示したように左右２つの図柄が変動表示されるものに限定されず、３つ以上の図柄が変動表示されるものであっても良い。例えば３つの図柄が変動表示される構成では、各図柄が変動表示された後１つずつ停止され、先２つの停止図柄が揃えばリーチ演出が行われ、その状態で最終停止図柄も揃えば当たり状態となるものが考えられる。
【０２２４】
（ｊ）遊技演出手段により実施される遊技演出としては、図柄表示装置４１による図柄の表示演出に限定されず、他に変更できる。例えば、可動物の組み合わせで構成される当たり告知装置（マシーン）を遊技盤上に設けておき、演出始動口（特別入賞作動口４３）への遊技球導入を条件に前記当たり告知装置を動作させるようにしても良い。
【０２２５】
（ｋ）特別装置作動中に遊技球の連続入賞を可能とする構成として、始動入賞装置３４及び変動入賞装置３５ではなく、他の入賞装置を用いるようにしても良い。例えば、ラウンド毎に大入賞口を繰り返し開放し、その開放状態を大入賞口の最大開放時間が経過するまで又は大入賞口に遊技球が規定数だけ入賞するまで継続するようにした大入賞装置を用いても良い。
【０２２６】
（ｌ）上記実施の形態では、従来に比べて遊技領域が比較的大きいパチンコ機１０について説明したが、これに限らず、従来のような遊技領域や窓部等を有するパチンコ機等の遊技機にも適用できる。また、上記実施の形態とは異なる他のタイプの弾球遊技機、例えば可変表示ユニット３５等のないパチンコ機や、他の役物を備えたパチンコ機、アレンジボール機、雀球等の遊技機にも適用できる。
【図面の簡単な説明】
【０２２７】
【図１】一実施の形態におけるパチンコ機を示す正面図である。
【図２】パチンコ機の主要な構成を展開又は分解して示す斜視図である。
【図３】パチンコ機を構成する本体枠の前面構成を示す正面図である。
【図４】遊技盤の構成を示す正面図である。
【図５】前扉枠の構成を示す背面図である。
【図６】パチンコ機の構成を示す背面図である。
【図７】パチンコ機の背面構成を主要部品毎に分解して示す分解斜視図である。
【図８】パチンコ機裏面における第１制御基板ユニット、第２制御基板ユニット及び裏パックユニットの配置を示す模式図である。
【図９】本体枠の背面構成を示す斜視図である。
【図１０】第１制御基板ユニットの構成を示す正面図である。
【図１１】第１制御基板ユニットの構成を示す斜視図である。
【図１２】第１制御基板ユニットの分解斜視図である。
【図１３】第１制御基板ユニットの背面構成を示す分解斜視図である。
【図１４】第２制御基板ユニットの構成を示す正面図である。
【図１５】第２制御基板ユニットの構成を示す斜視図である。
【図１６】第２制御基板ユニットの分解斜視図である。
【図１７】裏パックユニットの構成を示す正面図である。
【図１８】裏パックユニットの分解斜視図である。
【図１９】パチンコ機の電気的構成を示すブロック図である。
【図２０】遊技制御に用いる各種カウンタの概要を示す説明図である。
【図２１】主制御装置によるメイン処理を示すフローチャートである。
【図２２】通常処理を示すフローチャートである。
【図２３】図柄変動処理を示すフローチャートである。
【図２４】タイマ割込み処理を示すフローチャートである。
【図２５】作動口入賞処理を示すフローチャートである。
【図２６】ＮＭＩ割込み処理を示すフローチャートである。
【図２７】払出制御装置によるメイン処理を示すフローチャートである。
【図２８】払出制御処理を示すフローチャートである。
【図２９】賞球制御処理を示すフローチャートである。
【図３０】貸球制御処理を示すフローチャートである。
【図３１】表示制御処理を示すフローチャートである。
【符号の説明】
【０２２８】
１０…遊技機としてのパチンコ機、１１…外枠、１２…本体枠、１３…前扉枠、３０…遊技盤、３２…契機作動口、３３…変動入賞装置、３４…始動入賞装置、３５…変動入賞装置、３８…切欠、４１…図柄表示装置、４３…特別入賞作動口、５０…レールユニット、９１…シリンダ錠、１０１…窓部、２１４…表示制御装置、２３５…軸受け金具、２４８…連動杆、２７１…主制御装置。
【図１】
2005065782.tif 000003
【図２】
2005065782.tif 000004
【図３】
2005065782.tif 000005
【図４】
2005065782.tif 000006
【図５】
2005065782.tif 000007
【図６】
2005065782.tif 000008
【図７】
2005065782.tif 000009
【図８】
2005065782.tif 000010
【図９】
2005065782.tif 000011
【図１０】
2005065782.tif 000012
【図１１】
2005065782.tif 000013
【図１２】
2005065782.tif 000014
【図１３】
2005065782.tif 000015
【図１４】
2005065782.tif 000016
【図１５】
2005065782.tif 000017
【図１６】
2005065782.tif 000018
【図１７】
2005065782.tif 000019
【図１８】
2005065782.tif 000020
【図１９】
2005065782.tif 000021
【図２０】
2005065782.tif 000022
【図２１】
2005065782.tif 000023
【図２２】
2005065782.tif 000024
【図２３】
2005065782.tif 000025
【図２４】
2005065782.tif 000026
【図２５】
2005065782.tif 000027
【図２６】
2005065782.tif 000028
【図２７】
2005065782.tif 000029
【図２８】
2005065782.tif 000030
【図２９】
2005065782.tif 000031
【図３０】
2005065782.tif 000032
【図３１】
2005065782.tif 000033